(57)【要約】【課題】処理負荷及び電力消費を抑えつつ無線品質向上させる基地局装置、無線通信システム及び基地局装置制御方法を提供する。【解決手段】Ｐｃｅｌｌ通信部１０及びＳｃｅｌｌ通信部２０は、第１セル及び第１セルに重畳する第２セルの無線リソースを用いて移動局と通信を行う。移動速度測定部５０は、移動局から送信された第１セルの無線リソースを用いた信号を基に、移動局の移動速度を測定する。スケジューリング処理部３０は、移動局との間の無線環境を基に、移動局に対する前記第２セルの無線リソースの割り当てを停止し、また、第２セルの前記無線リソースの割り当てが停止された状態の移動局の前記移動速度が所定値未満の場合、移動局に対する第２セルの前記無線リソースの割り当てを開始する。【選択図】図３
2016076748.tif 000002
【特許請求の範囲】
【請求項１】
第１セル及び前記第１セルに重畳する第２セルの無線リソースを用いて無線端末装置と通信を行う通信部と、
前記無線端末装置から送信された前記第１セルの前記無線リソースを用いた信号を基に、前記無線端末装置の移動速度を測定する測定部と、
前記無線端末装置との間の無線環境を基に、前記無線端末装置に対する前記第２セルの前記無線リソースの割り当てを停止し、また、前記第２セルの前記無線リソースの割り当てが停止された状態の前記無線端末装置の前記移動速度が所定値未満の場合、前記無線端末装置に対する前記第２セルの前記無線リソースの割り当てを開始する制御部と
を備えたことを特徴とする基地局装置。
【請求項２】
前記制御部は、前記無線環境が悪化した場合に、前記無線リソースの割り当てを停止することを特徴とする請求項１に記載の基地局装置。
【請求項３】
前記制御部は、前記無線端末装置の前記移動速度が前記所定値以上の場合、前記無線環境が悪化したと判定することを特徴とする請求項２に記載の基地局装置。
【請求項４】
前記制御部は、前記無線端末装置から前記第２セルの前記無線リソースを用いて送信された信号の、単位時間当たりの受信の失敗回数が所定回数以上の場合、前記無線環境が悪化したと判定することを特徴とする請求項２に記載の基地局装置。
【請求項５】
前記第２セルの前記無線リソースを用いて前記無線端末装置から送信される所定信号を用いて無線品質を測定する無線品質測定部をさらに備え、
前記制御部は、前記無線端末装置に対する前記第２セルの前記無線リソースの割り当てを停止した場合、前記無線品質測定部による無線品質測定を停止させ、前記所定信号の送信停止を前記無線通信端末に通知し、前記無線端末装置に対する前記第２セルの前記無線リソースの割り当てを開始した場合、前記無線品質測定部による前記無線品質測定を開始させ、前記所定信号の送信の開始を前記無線通信端末に通知する
ことを特徴とする請求項１〜４のいずれか一つに記載の基地局装置。
【請求項６】
前記制御部は、前記無線端末装置へ割り当て対象とする前記第２セルの前記無線リソースを設定し、設定した前記無線リソースの中から割り当てを行い、前記無線端末装置に対する前記第２セルの前記無線リソースの割り当てを停止した場合、前記無線リソースの設定を解放し、前記無線端末装置に対する前記第２セルの前記無線リソースの割り当てを開始した場合、前記無線端末装置の割り当て対象とする前記第２セルの前記無線リソースを設定することを特徴とする請求項１〜５のいずれか一つに記載の基地局装置。
【請求項７】
前記前２セルにおいて使用中の受信品質測定用の信号に用いる無線リソースの数がリソース数閾値以上か否かを判定する接続数判定部をさらに備え、
前記制御部は、前記接続数判定部により前記前２セルにおいて使用中の受信品質測定用の信号に用いる無線リソースの数がリソース数閾値以上と判定された場合、前記無線リソースの設定の解放を行うことを特徴とする請求項６に記載の基地局装置。
【請求項８】
前記制御部は、前記無線端末装置と前記基地局装置との間で無線リンクを確立した上で、前記無線端末装置に対して前記第２セルの前記無線リソースの割り当てを行い、前記無線端末装置に対する前記第２セルの前記無線リソースの割り当てを停止した場合、前記無線リンクを解放し、前記無線端末装置に対する前記第２セルの前記無線リソースの割り当てを開始した場合、前記無線端末装置と前記基地局装置との間の前記無線リンクを設定することを特徴とする請求項１〜６のいずれか一つに記載の基地局装置。
【請求項９】
前記前２セルに接続する無線端末装置の数が接続閾値以上か否かを判定する接続数判定部をさらに備え、
前記制御部は、前記接続数判定部により前記前２セルに接続する無線端末装置の数が前記接続閾値以上と判定された場合、前記無線リンクの解放を行うことを特徴とする請求項６に記載の基地局装置。
【請求項１０】
前記測定部は、パイロット信号を基に移動速度を測定することを特徴とする請求項１〜９のいずれか一つに記載の基地局装置。
【請求項１１】
前記測定部は、前記無線端末装置の位置情報を基に移動速度を測定することを特徴とする請求項１〜１０のいずれか一つに記載の基地局装置。
【請求項１２】
基地局装置及び無線端末装置を有する無線通信システムであって、
前記基地局装置は、
第１セル及び前記第１セルに重畳する第２セルの無線リソースを用いて前記無線端末装置と通信を行う通信部と、
前記無線端末装置から送信された前記第１セルの前記無線リソースを用いた信号を基に、前記無線端末装置の移動速度を測定する測定部と、
前記無線端末装置との間の無線環境を基に、前記無線端末装置に対する前記第２セルの前記無線リソースの割り当てを停止し、また、前記第２セルの前記無線リソースの割り当てが停止された状態の前記無線端末装置の前記移動速度が所定値未満の場合、前記無線端末装置に対する前記第２セルの前記無線リソースの割り当てを開始する制御部と
を備えたことを特徴とする無線通信システム。
【請求項１３】
第１セル及び前記第１セルに重畳する第２セルの無線リソースを用いて無線端末装置と通信を行い、
前記無線端末装置との間の無線環境を基に、前記無線端末装置に対する前記第２セルの無線リソースの割り当てを停止し、
前記無線端末装置から送信された前記第１セルの無線リソースを用いた信号を基に、前記無線端末装置の移動速度を測定し、
前記第２セルの前記無線リソースの割り当てが停止された状態の前記無線端末装置の前記移動速度が所定値未満の場合、前記無線端末装置に対する前記第２セルの前記無線リソースの割り当てを開始する
ことを特徴とする基地局装置制御方法。
【発明の詳細な説明】
【技術分野】
【０００１】
本発明は、基地局装置、無線通信システム及び基地局装置制御方法に関する。
【背景技術】
【０００２】
近年、より高速なデータ通信のために、複数の周波数帯を同時に運用し、１つの通信回線としてデータを分散して送受信を行う、ＣＡ（Carrier  Aggregation）機能を有する無線通信システムが提案されている。
【０００３】
ＣＡ機能を有する無線通信システムにおいて、無線基地局は、複数の移動局と通信を行う。また、無線基地局は、コアネットワーク及び他の無線基地局と、Ｓ１インタフェース又はＸ２インタフェースと呼ばれる有線伝送路で接続される。
【０００４】
ＣＡ機能を実現する場合、同一エリアにおいて複数の周波数帯のセルが重ねられる。ＣＡ機能を有する無線通信システムで用いられる複数の周波数帯は、コンポーネントキャリアと呼ばれる。コンポーネントキャリアは、メインのキャリアであるプライマリコンポーネントキャリア（ＰＣＣ：Primary  Component  Carrier）と、それ以外のセカンダリコンポーネントキャリア（ＳＣＣ：Secondary  Component  Carrier）に分類される。プライマリコンポーネントキャリアとして割り当てられたセルは、主セルあるいは、プライマリセル（Ｐｃｅｌｌ:Primary  Cell）と呼ばれる。また、セカンダリコンポーネントキャリアとして割り当てられたセルは、副セルあるいはセカンダリセル（Ｓｃｅｌｌ：Secondary  Cell）と呼ばれる。
【０００５】
移動局からは無線基地局のＰｃｅｌｌ側にＰＵＳＣＨ（Physical  Downlink  Shared  Chanel）、ＰＵＣＣＨ（Physical  Uplink  Control  Chanel）及びＳＲＳ（Sounding  Reference  Signal）を送信し、Ｓｃｅｌｌ側にＰＵＳＣＨ及びＳＲＳを送信する。ここで、Ｓｃｅｌｌ側にＰＵＣＣＨを送信しない理由は以下による。すなわち、端末にとっては、ＰＡＰＲ（Peak  to  Average  Power  Ratio）を低く抑えることが重要である。そのためには、連続帯域でデータを送信することが好ましい。しかし、ＣＡを行った場合に、別々のコンポーネントキャリアでＰＵＣＣＨを送信してしまうと、不連続の帯域でデータを送信することになるおそれがある。それを回避するため、無線基地局は、ＣＡを行う場合、Ｐｃｅｌｌ側にのみＰＵＣＣＨを送信する。
【０００６】
無線基地局は、複数の移動局を通信圏内に収容する。そのため、無線基地局は、移動局と通信を行う場合、複数の移動局から通信対象の移動局を選択する処理を実行した上で、選択した移動局との間で通信を行う。この移動局の選択はスケジューリング処理とも呼ばれ、その方法の一例として、Ｍａｘｉｍｕｍ  ＣＩＲ（Carrier-to-Interference power Ratio）法やＰＦ（Proportional  Fairness）法などが挙げられる。スケジューリング処理により選択された移動局は、Ｐｃｅｌｌ及びＳｃｅｌｌの中の無線リソース中の使用可能な上り無線リソースを選択し、無線基地局と通信を行う。
【０００７】
ここで、移動局が高速移動している場合、ドップラーシフト（ドップラー効果）により無線基地局で受信する上り信号の周波数に変動が発生する。例えば、新幹線に乗車して移動中のような場合、３ＧＰＰ  ＴＳ３６．１０４  Ａｎｎｅｘ  Ｂ．４  Ｈｉｇｈ  Ｓｐｅｅｄ  ｔｒａｉｎ  ｃｏｎｄｉｔｉｏｎでモデリングされるような周波数変動が見られる。
【０００８】
このように移動局が高速移動している環境下で受信特性を向上させる方法として、例えば、３ＧＰＰ  ＴＳ３６．１０４  ８．２．３  Ｒｅｑｕｉｒｅｍｅｎｔｓ  ｆｏｒ  ｈｉｇｈ  ｓｐｅｅｄ  ｔｒａｉｎにＰＵＣＣＨ  ｆｏｒｍａｔ２の使用が開示されている。移動局はＣＱＩ（Channel  Quality  Indicator）を通知するためＰＵＣＣＨ  ｆｏｒｍａｔ２を送信することから、無線基地局は、この信号を利用して周波数変動を測定して信号の受信に用いることで受信特性を向上させることができる。
【０００９】
上りの通信データはＰＵＳＣＨで送信されるが、移動局は、通信データが存在する場合にのみＰＵＳＣＨを使用する。そのため、定期的に移動局からＰＵＳＣＨが送られてくるわけではない。ＰＵＳＣＨ受信時、その中に含まれるパイロット信号を用いて周波数変動を測定することはできるが、測定に対するサンプル数が少ないため周波数変動の測定精度が十分ではない。そのため、ＰＵＳＣＨを用いて周波数変動を測定しても、受信特性の向上を見込むことは困難である。このようなことから、定期的に移動局から送信されるＰＵＣＣＨ  ｆｏｒｍａｔ２が周波数変動の測定に用いられることが多い。
【００１０】
ただし、ＣＡ機能を利用してＳｃｅｌｌ側で通信を行っている場合、移動局から無線基地局へＰＵＣＣＨ  ｆｏｒｍａｔ２が送信されてこない。そのため、移動局が高速移動状態の場合に所望の受信特性を確保することが困難となる。受信特性が劣化した場合、無線基地局においてＰＵＳＣＨの受信ＮＧ判定が増加し、それに伴う再送処理が多くなる。その結果、無線通信システム全体のスループットが低下する。
【００１１】
このスループットの低下に対しては、例えば、ＰＵＳＣＨの受信ＮＧ判定が多くなったことを検出し、検出した移動局に対してＳｃｅｌｌの無線リソースの割り当てを実施しないスケジューリング制御を行うことが考えられる。
【００１２】
なお、無線通信システムの従来技術として以下のような技術が提案されている。１つには、移動先の候補のセルの方が移動元のセルよりも通信品質が優れている場合に、移動局の速度に応じてハンドオーバを行うか否かを判定する従来技術がある。また、通信のタイプに応じてパラメータを変更させつつ、移動速度に応じてハンドオーバの実行を決定する従来技術がある。また、重ねて配置された大径セルと小径セルのうちから、移動速度に応じて優先的に選択するセルを決定する従来技術がある。また、セルの周波数帯域及び拡張周波数帯域が存在する場合に、拡張周波数帯域が有効となるタイミングで無線リソースの割り当てを変更する従来技術がある。また、無線基地局と移動局との通信に用いているチャネルの一部が通信に用いられなくなった場合に、他の移動局との接続にその資源を用いる従来技術がある。
【先行技術文献】
【特許文献】
【００１３】
【特許文献１】特開２０１３−７０１５９号公報
【特許文献２】特開２００９−１８２４１３号公報
【特許文献３】特開２００２−２７５２２号公報
【特許文献４】特開２０１２−２０９６４９号公報
【特許文献５】特表２００２−５４２６８７号公報
【発明の概要】
【発明が解決しようとする課題】
【００１４】
しかしながら、移動局に対してＳｃｅｌｌの無線リソースの割り当てを無くした場合、その後、その移動局に対してＳｃｅｌｌへの無線リソースの割り当てを再開するか否かの決定が行われる。そのため、Ｓｃｅｌｌへの無線リソースの割り当てを停止しているにも関わらず、無線基地局は、常にＳｃｅｌｌ側の無線品質測定を実施することになる。また、移動局は、常にＳｃｅｌｌ側のＳＲＳなどのパイロット信号を送信することになる。このように、移動局に対してＳｃｅｌｌの無線リソースの割り当てをなくした場合、従来の技術では、無線基地局及び移動局の双方において無駄な処理が発生してしまう。その結果、無線基地局は、常に処理負荷が高くなり、電力も無駄に消費してしまうおそれがある。一方、処理負荷や電力消費を軽減するため、単に無線品質測定を停止しては、適切なタイミングでの無線リソースの割り当ての再開が行えず、無線品質が悪化してしまう。
【００１５】
また、上述した各従来技術においても、移動局に対するＳｃｅｌｌの無線リソースの割り当て停止後の復帰については考慮されていない。そのため、上述したいずれの従来技術を用いても、無線基地局の処理負荷及び電力消費を抑えつつ無線品質を向上させることは困難である。
【００１６】
開示の技術は、上記に鑑みてなされたものであって、処理負荷及び電力消費を抑えつつ無線品質向上させる基地局装置、無線通信システム及び基地局装置制御方法を提供することを目的とする。
【課題を解決するための手段】
【００１７】
本願の開示する基地局装置、無線通信システム及び基地局装置制御方法は、一つの態様において、通信部は、第１セル及び前記第１セルに重畳する第２セルの無線リソースを用いて無線端末装置と通信を行う。測定部は、前記無線端末装置から送信された前記第１セルの前記無線リソースを用いた信号を基に、前記無線端末装置の移動速度を測定する。制御部は、前記無線端末装置との間の無線環境を基に、前記無線端末装置に対する前記第２セルの前記無線リソースの割り当てを停止する。さらに、前記制御部は、前記第２セルの前記無線リソースの割り当てが停止された状態の前記無線端末装置の前記移動速度が所定値未満の場合、前記無線端末装置に対する前記第２セルの前記無線リソースの割り当てを開始する。
【発明の効果】
【００１８】
本願の開示する基地局装置、無線通信システム及び基地局装置制御方法の一つの態様によれば、処理負荷及び電力消費を抑えることができるという効果を奏する。
【図面の簡単な説明】
【００１９】
【図１】図１は、ＣＡ機能を有する無線通信システムの構成図である。
【図２】図２は、セルに応じた移動局から無線基地局への送信信号を示す図である。
【図３】図３は、実施例１に係る無線基地局のブロック図である。
【図４】図４は、移動局のブロック図である。
【図５】図５は、実施例１に係る無線基地局によるＳｃｅｌｌの無線リソースの割当処理のフローチャートである。
【図６】図６は、実施例１に係る無線基地局と移動局との間におけるＳｃｅｌｌの無線リソースの割当処理のシーケンス図である。
【図７】図７は、変形例に係る無線基地局のブロック図である。
【図８】図８は、変形例に係る移動速度測定部による移動速度の算出のフローチャートである。
【図９】図９は、実施例２に係る無線基地局によるＳｃｅｌｌの無線リソースの割当処理のフローチャートである。
【図１０】図１０は、実施例２に係る無線基地局と移動局との間におけるＳｃｅｌｌの無線リソースの割当処理のシーケンス図である。
【図１１】図１１は、実施例３に係る無線基地局によるＳｃｅｌｌの無線リソースの割当処理のフローチャートである。
【図１２】図１２は、実施例３に係る無線基地局と移動局との間におけるＳｃｅｌｌの無線リソースの割当処理のシーケンス図である。
【図１３】図１３は、実施例４に係る無線基地局のブロック図である。
【図１４】図１４は、実施例４に係る無線基地局による動作モードの選択のフローチャートである。
【図１５】図１５は、実施例５に係る無線基地局のブロック図である。
【図１６】図１６は、実施例５に係る無線基地局による動作モードの選択のフローチャートである。
【図１７】図１７は、実施例６に係る無線基地局のブロック図である。
【図１８】図１８は、実施例６に係る無線基地局による動作モードの選択のフローチャートである。
【発明を実施するための形態】
【００２０】
以下に、本願の開示する基地局装置、無線通信システム及び基地局装置制御方法の実施例を図面に基づいて詳細に説明する。なお、以下の実施例により本願の開示する基地局装置、無線通信システム及び基地局装置制御方法が限定されるものではない。
【実施例１】
【００２１】
図１は、ＣＡ機能を有する無線通信システムの構成図である。本実施例に係る無線通信システムは、図１に示すように、無線基地局１、コアネットワーク２及び移動局３を有する。
【００２２】
そして、無線基地局１は、有線伝送路であるＳ１インタフェース４でコアネットワーク２に接続されている。また、無線基地局１同士は、有線伝送路であるＸ２インタフェース５で接続されている。
【００２３】
また、本実施例に係る無線基地局１は、ＣＡ機能を有する。例えば、無線基地局１は、チャネル周波数が異なるプライマリコンポーネントキャリア及びセカンダリコンポーネントキャリアを用いて移動局３と通信を行う。移動局３が、プライマリコンポーネントキャリアを用いて無線基地局１と通信を行うサービングセルがＰｃｅｌｌ６である。また、移動局３が、セカンダリコンポーネントキャリアを用いて無線基地局１と通信を行うサービングセルがＳｃｅｌｌ７である。Ｐｃｅｌｌ６とＳｃｅｌｌ７とは、重畳されている。このように、無線基地局１は、Ｐｃｅｌｌ６及びＳｓｅｌｌ７を管理する。そして、無線基地局１は、Ｐｃｅｌｌ６及びＳｃｅｌｌ７を用いてＣＡ機能を移動局３に提供する。ここで、本実施例では、Ｐｃｅｌｌ６のチャネル周波数とＳｃｅｌｌ７のチャネル周波数が異なっている場合で説明するが、このチャネル周波数は、同じでもよいし異なってもよい。このＰｃｅｌｌ６が、「第１セル」の一例にあたり、Ｓｃｅｌｌ７が、「第２セル」の一例にあたる。
【００２４】
無線基地局１は、複数の移動局３を管理するＰｃｅｌｌ６及びＳｃｅｌｌ７の配下に収容する。そこで、無線基地局１は、収容する複数の移動局３の中から通信対象の移動局を選択するスケジューリング処理を行い、選択した移動局３との間で通信を行う。
【００２５】
無線基地局１は、移動局３から受信したパイロット信号であるＳＲＳを用いてＭＩＭＯチャネル伝搬路を推定し、その推定結果に基づき無線リンク制御を行う。そして、無線基地局１は、決定したパラメータを用いて移動局３と通信を行う。
【００２６】
また、無線基地局１は、Ｓ１インタフェース４及びコアネットワーク２を介して、接続先のＭＭＥ（Mobility  Management  Entity）が異なる他の無線基地局１と通信を行う。また、無線基地局１は、Ｘ２インタフェース５を介して、接続先のＭＭＥが同一の他の無線基地局１と通信を行う。
【００２７】
移動局３は、無線基地局１のスケジューリング処理により選択されると、Ｐｃｅｌｌ６又はＳｃｅｌｌ７の中の無線リソースから使用可能な無線リソースを選択し、データ通信を行う。
【００２８】
図２は、セルに応じた移動局から無線基地局への送信信号を示す図である。図２における破線より上側にある信号はＰｃｅｌｌ６側で移動局３から無線基地局１へ送信される信号である。また、破線より下側にある信号はＳｃｅｌｌ７側で移動局３から無線基地局１へ送信される信号である。具体的には、Ｐｃｅｌｌ６側では、移動局３は、ＰＵＳＣＨ、ＰＵＣＣＨ及びＳＲＳを無線基地局１へ送信する。また、Ｓｃｅｌｌ７側では、移動局３は、ＰＵＳＣＨ及びＳＲＳを送信する。ＳＲＳは、品質測定用信号である。
【００２９】
次に、図３を参照して、無線基地局１の詳細について説明する。図３は、実施例１に係る無線基地局のブロック図である。無線基地局１は、Ｐｃｅｌｌ通信部１０、Ｓｃｅｌｌ通信部２０、スケジューリング処理部３０、ＲＲＣ（Radio  Resource  Control）処理部４０、移動速度測定部５０及びＳ１／Ｘ２インタフェース処理部６０を有する。
【００３０】
Ｓ１／Ｘ２インタフェース処理部６０は、Ｓ１インタフェース４及びＸ２インタフェース５を介したコアネットワーク２及び他の無線基地局１との間の通信を制御する。
【００３１】
例えば、Ｓ１／Ｘ２インタフェース処理部６０は、Ｓ１インタフェース４を介してコアネットワーク２から下り信号用のデータ信号を受信する。下り信号とは、無線基地局１から移動局３へ送信される信号である。そして、Ｓ１／Ｘ２インタフェース処理部６０は、受信したデータ信号に対して、ＲＬＣ（Radio  Link  Control）層及びＰＤＣＰ（Packet  Data  Convergence  Protocol）層における各種処理を行う。そして、Ｓ１／Ｘ２インタフェース処理部６０は、使用するチャネル周波数に応じて、処理を施したデータ信号をＰｃｅｌｌ通信部１０又はＳｃｅｌｌ通信部２０へ出力する。Ｓ１／Ｘ２インタフェース処理部６０は、Ｘ２インタフェース５を介して他の無線基地局１から受信した下り信号用のデータ信号に対しても同様の動作を行う。
【００３２】
また、Ｓ１／Ｘ２インタフェース処理部６０は、上り信号に含まれるデータ信号の入力を上りＭＡＣ処理部１２９又は２２９から受ける。上り信号とは、移動局３から無線基地局１へ送信される信号である。そして、Ｓ１／Ｘ２インタフェース処理部６０は、受信したデータ信号に対して、ＲＬＣ層及びＰＤＣＰ層における各種処理を行う。そして、Ｓ１／Ｘ２インタフェース処理部６０は、処理を施したデータ信号をＳ１インタフェース４又はＸ２インタフェース５を経由させて無線基地局１又はコアネットワーク２へ送信する。
【００３３】
さらに、Ｓ１／Ｘ２インタフェース処理部６０は、ＲＲＣメッセージをＲＲＣ処理部４０から受信する。そして、Ｓ１／Ｘ２インタフェース処理部６０は、ＲＲＣメッセージに対して、ＲＬＣ層及びＰＤＣＰ層における各種処理を行う。そして、Ｓ１／Ｘ２インタフェース処理部６０は、使用する周波数に応じて、処理を施したＲＣＣメッセージをＰｃｅｌｌ通信部１０又はＳｃｅｌｌ通信部２０へ出力する。
【００３４】
Ｐｃｅｌｌ通信部１０は、送信部１１、受信部１２、Ｄ／Ａ（Digital/Analog）変換部１３、Ａ／Ｄ（Analog/Digital）変換部１４及びＲＦ（Radio  Frequency）処理回路１５を有する。このＰｃｅｌｌ通信部１０が、「通信部」の一例にあたる。
【００３５】
送信部１１は、下り信号に対する送信処理を行う。送信部１１は、パイロット信号生成部１１１、誤り訂正符号器１１２、データ変調部１１３、データ／パイロット信号多重部１１４、ＩＦＦＴ（Inverse  Fast  Fourier  Transform）部１１５及びＣＰ（Cyclic  Prefix）挿入部１１６及び上りＭＡＣ（Medium  Access  Control）処理部１１７を有する。送信部１１における各部は、スケジューリング処理部３０から出力される各種制御信号に基づいて以下の処理を行う。
【００３６】
パイロット信号生成部１１１は、下り信号用のパイロット信号を生成する。ここで、パイロット信号は、受信局である移動局３において既知の信号である。そして、パイロット信号生成部１１１は、生成したパイロット信号をデータ／パイロット信号多重部１１４へ出力する。
【００３７】
下りＭＡＣ処理部１１７は、データ信号の入力をＳ１／Ｘ２インタフェース処理部６０から受ける。そして、下りＭＡＣ処理部７１は、受信したデータ信号に対してＭＡＣ処理を施す。そして、下りＭＡＣ処理部１１７は、ＭＡＣ処理を施したデータ信号を誤り訂正符号器１１２へ出力する。
【００３８】
さらに、下りＭＡＣ処理部１１７は、スケジューリング処理部３０がＳｃｅｌｌの無線リソースの割り当てを停止した場合、Ａｃｔｉｖａｔｉｏｎ／Ｄｉａｃｔｉｖａｔｉｏｎ  ＭＡＣ  ＣＥによるＤｅａｃｔｉｖａｔｉｏｎの送信の指示をスケジューリング処理部３０から受ける。指示を受けて、下りＭＡＣ処理部１１７は、Ａｃｔｉｖａｔｉｏｎ／Ｄｉａｃｔｉｖａｔｉｏｎ  ＭＡＣ  ＣＥによるＤｅａｃｔｉｖａｔｉｏｎを送信部１１へ出力する。
【００３９】
その後、スケジューリング処理部３０がＳｃｅｌｌの無線リソースの割り当てを再開する場合、下りＭＡＣ処理部１１７は、Ａｃｔｉｖａｔｉｏｎ／Ｄｉａｃｔｉｖａｔｉｏｎ  ＭＡＣ  ＣＥによるＡｃｔｉｖａｔｉｏｎの送信の指示をスケジューリング処理部３０から受ける。指示を受けて、下りＭＡＣ処理部１１７は、Ａｃｔｉｖａｔｉｏｎ／Ｄｉａｃｔｉｖａｔｉｏｎ  ＭＡＣ  ＣＥによるＡｃｔｉｖａｔｉｏｎを送信部１１へ出力する。
【００４０】
誤り訂正符号器１１２は、下り信号用のデータ信号の入力を下りＭＡＣ処理部１１７から受ける。そして、誤り訂正符号器１１２は、受信したデータ信号を誤り訂正符号化する。その後、誤り訂正符号器１１２は、誤り訂正符号化の処理を施したデータ信号をデータ変調部１１３へ出力する。
【００４１】
また、スケジューリング処理部３０がＳｃｅｌｌの無線リソースの割り当てを停止した場合、誤り訂正符号器１１２は、Ｄｅａｃｔｉｖａｔｉｏｎを下りＭＡＣ処理部１１７から受ける。そして、誤り訂正符号器１１２は、Ｄｅａｃｔｉｖａｔｉｏｎに誤り訂正符号化を施しデータ変調部１１３へ出力する。
【００４２】
その後、スケジューリング処理部３０が無線リソースの割り当てを再開する場合、誤り訂正符号器１１２は、Ａｃｔｉｖａｔｉｏｎを下りＭＡＣ処理部１１７から受ける。そして、誤り訂正符号器１１２は、Ａｃｔｉｖａｔｉｏｎに誤り訂正符号化を施しデータ変調部１１３へ出力する。
【００４３】
データ変調部１１３は、誤り訂正符号化されたデータ信号の入力を誤り訂正符号器１１２から受ける。そして、データ変調部１１３は、受信したデータ信号に対してＱＰＳＫ（Quadrature  Phase  Shift  Keying）変調などのデータ変調処理を施す。その後、データ変調部１１３は、データ変調処理を施したデータ信号をデータ／パイロット信号多重部１１４へ出力する。
【００４４】
また、スケジューリング処理部３０が無線リソースの割り当てを停止した場合、データ変調部１１３は、Ｄｅａｃｔｉｖａｔｉｏｎを誤り訂正符号器１１２から受ける。そして、データ変調部１１３は、Ｄｅａｃｔｉｖａｔｉｏｎにデータ変調処理を施しデータ／パイロット信号多重部１１４へ出力する。
【００４５】
その後、スケジューリング処理部３０が無線リソースの割り当てを再開する場合、データ変調部１１３は、Ａｃｔｉｖａｔｉｏｎを誤り訂正符号器１１２から受ける。そして、データ変調部１１３は、Ａｃｔｉｖａｔｉｏｎにデータ変調処理を施しデータ／パイロット信号多重部１１４へ出力する。
【００４６】
データ／パイロット信号多重部１１４は、パイロット信号の入力をパイロット信号生成部１１１から受ける。また、データ／パイロット信号多重部１１４は、データ変調が施されたデータ信号の入力をデータ変調部１１３から受ける。そして、データ／パイロット信号多重部１１４は、受信したパイロット信号とデータ信号とを時間多重して下り信号を生成する。その後、データ／パイロット信号多重部１１４は、生成した下り信号をＩＦＦＴ部１１５へ出力する。
【００４７】
これに対して、スケジューリング処理部３０がＳｃｅｌｌの無線リソースの割り当てを停止した場合、データ／パイロット信号多重部１１４は、Ｄｅａｃｔｉｖａｔｉｏｎをデータ変調部１１３から受ける。そして、データ／パイロット信号多重部１１４は、Ｄｅａｃｔｉｖａｔｉｏｎから下り信号を生成しＩＦＦＴ部１１５へ出力する。
【００４８】
その後、スケジューリング処理部３０がＳｃｅｌｌの無線リソースの割り当てを再開する場合、データ／パイロット信号多重部１１４は、Ａｃｔｉｖａｔｉｏｎをデータ変調部２１３から受ける。そして、データ／パイロット信号多重部１１４は、Ａｃｔｉｖａｔｉｏｎから下り信号を生成しＩＦＦＴ部１１５へ出力する。
【００４９】
ＩＦＦＴ部１１５は、下り信号の入力をデータ／パイロット信号多重部１１４から受ける。そして、ＩＦＦＴ部１１５は、一定数Ｎのサンプル単位で受信した下り信号に対して逆高速フーリエ変換を施し、周波数領域の信号を時間領域の信号に変換する。すなわち、ＩＦＦＴ部１１５は、下り信号のＮ個のデータサンプルをサブキャリア信号成分とみなし、このサブキャリア成分に逆高速フーリエ変換を施し、離散的な時間信号に変換する。その後、ＩＦＦＴ部１１５は、逆高速フーリエ変換を施した下り信号をＣＰ挿入部１１６へ出力する。
【００５０】
また、スケジューリング処理部３０がＳｃｅｌｌの無線リソースの割り当てを停止した場合、ＩＦＦＴ部１１５は、Ｄｅａｃｔｉｖａｔｉｏｎの下り信号をデータ／パイロット信号多重部１１４から受ける。そして、ＩＦＦＴ部１１５は、Ｄｅａｃｔｉｖａｔｉｏｎの下り信号を逆高速フーリエ変換しＣＰ挿入部１１６へ出力する。
【００５１】
その後、スケジューリング処理部３０が無線リソースの割り当てを再開する場合、ＩＦＦＴ部１１５は、Ａｃｔｉｖａｔｉｏｎの下り信号をデータ／パイロット信号多重部１１４から受ける。そして、ＩＦＦＴ部１１５は、Ａｃｔｉｖａｔｉｏｎの下り信号を逆高速フーリエ変換しＣＰ挿入部１１６へ出力する。
【００５２】
ＣＰ挿入部１１６は、逆高速フーリエ変換が施された下り信号の入力をＩＦＦＴ部１１５から受ける。そして、ＣＰ挿入部１１６は、受信した下り信号にＮ個のサンプルのそれぞれの先頭にＣＰを挿入する。その後、ＣＰ挿入部１１６は、ＣＰを挿入した下り信号をＤ／Ａ変換部１３へ出力する。ここで、ＣＰは、例えば、逆高速フーリエ変換後のＮ個のサンプルのうち、後部のＭ個のサンプル（Ｍ＜Ｎ）をコピーしたものである。ＣＰは巡回的にコピーされているため、ＣＰ挿入後の（Ｍ＋Ｎ）サンプルの区間で信号が連続することとなる。この特徴により、無線基地局１及び移動局３などの通信装置は、ＣＰを用いて隣接パスからの遅延シンボルによる干渉を除去することができる。
【００５３】
また、スケジューリング処理部３０が無線リソースの割り当てを停止した場合、ＣＰ挿入部１１６は、Ｄｅａｃｔｉｖａｔｉｏｎの下り信号をＩＦＦＴ部１１５から受ける。そして、ＣＰ挿入部１１６は、Ｄｅａｃｔｉｖａｔｉｏｎの下り信号にＣＰを挿入しＤ／Ａ変換部１３へ出力する。
【００５４】
その後、スケジューリング処理部３０が無線リソースの割り当てを再開する場合、ＣＰ挿入部１１６は、Ａｃｔｉｖａｔｉｏｎの下り信号をＩＦＦＴ部１１５から受ける。そして、ＣＰ挿入部１１６は、Ａｃｔｉｖａｔｉｏｎの下り信号にＣＰを挿入しＤ／Ａ変換部１３へ出力する。
【００５５】
また、送信部１１の各部は、Ｓ１／Ｓ２インタフェース処理部６０から入力されたＲＲＣメッセージに対してもデータ信号に対する処理と同様の処理を行う。
【００５６】
Ｄ／Ａ変換部１３は、下り信号の入力をＣＰ挿入部１１６から受ける。そして、Ｄ／Ａ変換部１３は、受信した下り信号をデジタル信号からアナログ信号へと変換する。その後、Ｄ／Ａ変換部１３は、アナログ信号に変換した下り信号をＲＦ処理回路１５の送信ＲＦ部１５１へ出力する。また、Ｄ／Ａ変換部１３は、ＲＲＣメッセージに対しても同様の処理を行う。
【００５７】
また、スケジューリング処理部３０が無線リソースの割り当てを停止した場合、Ｄ／Ａ変換部１３は、Ｄｅａｃｔｉｖａｔｉｏｎの下り信号をＣＰ挿入部１１６から受ける。そして、Ｄ／Ａ変換部１３は、Ｄｅａｃｔｉｖａｔｉｏｎの下り信号をアナログ変換し送信ＲＦ部１５１へ出力する。
【００５８】
その後、スケジューリング処理部３０が無線リソースの割り当てを再開する場合、Ｄ／Ａ変換部１３は、Ａｃｔｉｖａｔｉｏｎの下り信号をＣＰ挿入部１１６から受ける。そして、Ｄ／Ａ変換部１３は、Ａｃｔｉｖａｔｉｏｎの下り信号をアナログ変換し送信ＲＦ部１５１へ出力する。
【００５９】
ＲＦ処理回路１５は、送信ＲＦ部１５１及び受信ＲＦ部１５２を有する。送信ＲＦ部１５１は、アナログ信号に変換された下り信号の入力をＤ／Ａ変換部１３から受ける。そして、送信ＲＦ部１５１は、受信した下り信号を直交変調し、ベースバンド信号から無線周波数信号へと変換する。すなわち、送信ＲＦ部１５１は、下り信号をアップコンバートする。その後、送信ＲＦ部１５１は、無線周波数信号へと変換した下り信号を、アンテナ１６を介して移動局３へ送信する。また、ＲＦ処理回路１５は、ＲＲＣメッセージに対しても同様の処理を行う。
【００６０】
また、スケジューリング処理部３０が無線リソースの割り当てを停止した場合、ＲＦ処理回路１５は、Ｄｅａｃｔｉｖａｔｉｏｎの下り信号をＤ／Ａ変換部１３から受ける。そして、ＲＦ処理回路１５は、Ｄｅａｃｔｉｖａｔｉｏｎの下り信号を無線周波数信号に変換し移動局３へ送信する。
【００６１】
その後、スケジューリング処理部３０が無線リソースの割り当てを再開する場合、ＲＦ処理回路１５は、Ａｃｔｉｖａｔｉｏｎの下り信号をＤ／Ａ変換部１３から受ける。そして、ＲＦ処理回路１５は、Ａｃｔｉｖａｔｉｏｎの下り信号を無線周波数信号に変換し移動局３へ送信する。
【００６２】
受信ＲＦ部１５２は、アンテナ１６を介して上り信号を移動局３から受信する。そして、受信ＲＦ部１５２は、受信した上り信号を無線周波数からベースバンド信号に変換する。すなわち、受信ＲＦ部１５２は、上り信号をダウンコンバートする。その後、受信ＲＦ部１５２は、ベースバンド信号へと変換した上り信号をＡ／Ｄ変換部１４へ出力する。
【００６３】
Ａ／Ｄ変換部１４は、ベースバンド信号へ変換された上り信号の入力を受信ＲＦ部１５２から受ける。そして、Ａ／Ｄ変換部１４は、受信した上り信号をアナログ信号からデジタル信号へと変換する。その後、Ａ／Ｄ変換部１４は、デジタル信号に変換した上り信号を受信部１２へ出力する。
【００６４】
受信部１２は、ＣＰ除去部１２１、ＦＦＴ（Fast  Fourier  Transform）部１２２、データ／パイロット信号分離部１２３、ＰＵＳＣＨ／ＰＵＣＣＨ受信処理部１２４、パイロット信号復調部１２５、無線品質測定部１２６及び上りＭＡＣ処理部１２９を有する。受信部１２における各部は、スケジューリング処理部３０から出力される各種制御信号に基づいて以下の処理を行う。
【００６５】
ＣＰ除去部１２１は、デジタル信号に変換された上り信号の入力をＡ／Ｄ変換部１４から受ける。そして、ＣＰ除去部１２１は、受信した上り信号からＣＰを除去する。その後、ＣＰ除去部１２１は、ＣＰを除去した上り信号をＦＦＴ部１２２へ出力する。
【００６６】
ＦＦＴ部１２２は、上り信号の入力をＣＰ除去部１２１から受ける。そして、ＦＦＴ部１２２は、受信した上り信号に対して高速フーリエ変換を施し、時間領域の信号を周波数領域の信号に変換する。その後、ＦＦＴ部１２２は、高速フーリエ変換を施した上り信号をデータ／パイロット信号分離部１２３へ出力する。
【００６７】
データ／パイロット信号分離部１２３は、高速フーリエ変換を施された上り信号の入力をＦＦＴ部１２２から受ける。そして、データ／パイロット信号分離部１２３は、受信した上り信号をデータ信号とパイロット信号に分離する。このパイロット信号には、例えば、ＳＲＳが含まれる。その後、データ／パイロット信号分離部１２３は、データ信号をＰＵＳＣＨ／ＰＵＣＣＨ受信処理部１２４のデータ復調部１２８へ出力する。また、データ／パイロット信号分離部１２３は、パイロット信号をパイロット信号復調部１２５へ出力する。
【００６８】
ＰＵＳＣＨ／ＰＵＣＣＨ受信処理部１２４は、誤り訂正復号器１２７及びデータ復調部１２８を有する。データ復調部１２８は、データ信号の入力をデータ／パイロット信号分離部１２３から受ける。さらに、データ復調部１２８は、下り信号に含まれるパイロット信号の入力をパイロット信号復調部１２５から受ける。そして、データ復調部１２８は、パイロット信号に基づいて、受信したデータ信号にデータ復調処理を施す。その後、データ復調部１２８は、データ復調処理を施したデータ信号を誤り訂正復号器１２７へ出力する。
【００６９】
誤り訂正復号器１２７は、データ復調処理が施されたデータ信号の入力をデータ復調部１２８から受ける。そして、誤り訂正復号器１２７は、受信したデータ信号を誤り訂正復号化する。その後、誤り訂正復号器１２７は、誤り訂正復号化の処理を施したデータ信号を上りＭＡＣ処理部１２９へ出力する。
【００７０】
パイロット信号復調部１２５は、移動局３から送信されたパイロット信号の入力をデータ／パイロット信号分離部１２３から受ける。そして、パイロット信号復調部１２５は、受信したパイロット信号を復調する。その後、パイロット信号復調部１２５は、復調したパイロット信号をデータ復調部１２８、無線品質測定部１２６及び後述する移動速度測定部５０へ出力する。
【００７１】
無線品質測定部１２６は、移動局３から送信されたパイロット信号の入力をデータ／パイロット信号分離部１２３から受ける。そして、無線品質測定部１２６は、受信したパイロット信号から受信信号レベル及び干渉レベルを算出する。次に、無線品質測定部１２６は、算出した受信信号レベル及び干渉レベルを用いてＳＩＲ（Signal  to  Interface  Ratio）を測定する。無線品質測定部１２６は、測定したＳＩＲをスケジューリング処理部３０へ出力する。
【００７２】
上りＭＡＣ処理部１２９は、誤り訂正復号化の処理を施されたデータ信号の入力を誤り訂正復号器１２７から受ける。そして、上りＭＡＣ処理部１２９は、受信したデータ信号に対してＭＡＣ処理を施す。そして、上りＭＡＣ処理部１２９は、ＭＡＣ処理を施したデータ信号をＳ１／Ｘ２インタフェース処理部６０へ出力する。また、上りＭＡＣ処理部１２９は、上りのＭＡＣ  ＣＥの情報をスケジューリング処理部３０へ送信する。
【００７３】
次に、Ｓｃｅｌｌ側の通信について説明する。Ｓｃｅｌｌ通信部２０は、送信部２１、受信部２２、Ｄ／Ａ変換部２３、Ａ／Ｄ変換部２４及びＲＦ処理回路２５を有する。このＳｃｅｌｌ通信部２０が、「通信部」の一例にあたる。
【００７４】
送信部２１は、下り信号に対する送信処理を行う。送信部２１は、パイロット信号生成部２１１、誤り訂正符号器２１２、データ変調部２１３、データ／パイロット信号多重部２１４、ＩＦＦＴ部２１５、ＣＰ挿入部２１６及び下りＭＡＣ処理部２１７を有する。
【００７５】
パイロット信号生成部２１１は、下り信号用のパイロット信号を生成する。そして、パイロット信号生成部２１１は、生成したパイロット信号をデータ／パイロット信号多重部２１４へ出力する。
【００７６】
下りＭＡＣ処理部２１７は、下り信号用のデータ信号の入力をＳ１／Ｘ２インタフェース処理部６０から受ける。そして、下りＭＡＣ処理部２１７は、受信したデータ信号に対してＭＡＣ処理を施す。そして、下りＭＡＣ処理部１１７は、ＭＡＣ処理を施したデータ信号を誤り訂正符号器２１２へ出力する。
【００７７】
また、下りＭＡＣ処理部２１７は、ＲＲＣメッセージをＳ１／Ｘ２インタフェース処理部６０から受信する。そして、下りＭＡＣ処理部２１７は、ＭＡＣ処理をＲＲＣメッセージに施した後、誤り訂正符号器２１２へ出力する。
【００７８】
これに対して、スケジューリング処理部３０がＳｃｅｌｌの無線リソースの割り当てを停止した場合、下りＭＡＣ処理部２１７は、無線リソースの割り当てが停止されているので、データ信号に対するＭＡＣ処理を行わない。
【００７９】
誤り訂正符号器２１２は、スケジューリング処理部３０がＳｃｅｌｌの無線リソースの割り当てを行った場合、ＭＡＣ処理が施されたデータ信号の入力を下りＭＡＣ処理部２１７から受ける。そして、誤り訂正符号器２１２は、スケジューリング処理部３０から受信した制御信号にしたがって、受信したデータ信号を誤り訂正符号化する。その後、誤り訂正符号器２１２は、誤り訂正符号化の処理を施したデータ信号をデータ変調部２１３へ出力する。
【００８０】
これに対して、スケジューリング処理部３０がＳｃｅｌｌの無線リソースの割り当てを停止した場合、誤り訂正符号器２１２は、無線リソースの割り当てが停止されているので、データ信号に対する誤り訂正符号化の処理を行わない。
【００８１】
その後、スケジューリング処理部３０がＳｃｅｌｌの無線リソースの割り当てを再開された場合、誤り訂正符号器２１２は、スケジューリング処理部３０から受信した制御信号にしたがって、データ信号に対する誤り訂正符号化の処理を再開する。
【００８２】
データ変調部２１３は、スケジューリング処理部３０がＳｃｅｌｌの無線リソースの割り当てを行った場合、誤り訂正符号化されたデータ信号の入力を誤り訂正符号器２１２から受ける。そして、データ変調部２１３は、スケジューリング処理部３０から受信した制御信号にしたがい、受信したデータ信号に対してＱＰＳＫ変調などのデータ変調処理を施す。その後、データ変調部２１３は、データ変調処理を施したデータ信号をデータ／パイロット信号多重部２１４へ出力する。
【００８３】
これに対して、スケジューリング処理部３０がＳｃｅｌｌの無線リソースの割り当てを停止した場合、データ変調部２１３は、Ｓｃｅｌｌの無線リソースの割り当てが停止されているので、データ信号に対するデータ変調処理を行わない。
【００８４】
その後、スケジューリング処理部３０がＳｃｅｌｌの無線リソースの割り当てを再開した場合、データ変調部２１３は、スケジューリング処理部３０から受信した制御信号にしたがって、データ信号に対するデータ変調処理を再開する。
【００８５】
データ／パイロット信号多重部２１４は、パイロット信号の入力をパイロット信号生成部２１１から受ける。また、データ／パイロット信号多重部２１４は、スケジューリング処理部３０が無線リソースの割り当てを行った場合、データ変調が施されたデータ信号の入力をデータ変調部２１３から受ける。そして、データ／パイロット信号多重部２１４は、スケジューリング処理部３０から受信した制御信号にしたがい、受信したパイロット信号とデータ信号とを時間多重して下り信号を生成する。その後、データ／パイロット信号多重部２１４は、生成した下り信号をＩＦＦＴ部２１５へ出力する。
【００８６】
これに対して、スケジューリング処理部３０がＳｃｅｌｌの無線リソースの割り当てを停止した場合、データ／パイロット信号多重部２１４は、無線リソースの割り当てが停止されているので、データ信号に対する下り信号の生成処理を行わない。
【００８７】
その後、スケジューリング処理部３０がＳｃｅｌｌの無線リソースの割り当てを再開した場合、データ／パイロット信号多重部２１４は、スケジューリング処理部３０から受信した制御信号にしたがって、下り信号の生成を再開する。
【００８８】
ＩＦＦＴ部２１５は、スケジューリング処理部３０がＳｃｅｌｌの無線リソースの割り当てを行った場合、下り信号の入力をデータ／パイロット信号多重部２１４から受ける。そして、ＩＦＦＴ部２１５は、スケジューリング処理部３０から受信した制御信号にしたがい、受信した下り信号に対して逆高速フーリエ変換を施し、周波数領域の信号を時間領域の信号に変換する。その後、ＩＦＦＴ部２１５は、逆高速フーリエ変換を施した下り信号をＣＰ挿入部２１６へ出力する。
【００８９】
これに対して、スケジューリング処理部３０がＳｃｅｌｌの無線リソースの割り当てを停止した場合、ＩＦＦＴ部２１５は、無線リソースの割り当てが停止されているので、下り信号に対する変換処理を行わない。
【００９０】
その後、スケジューリング処理部３０がＳｃｅｌｌの無線リソースの割り当てを再開した場合、ＩＦＦＴ部２１５は、スケジューリング処理部３０から受信した制御信号にしたがって、下り信号の逆高速フーリエ変換を再開する。
【００９１】
ＣＰ挿入部２１６は、スケジューリング処理部３０がＳｃｅｌｌの無線リソースの割り当てを行った場合、逆高速フーリエ変換が施された下り信号の入力をＩＦＦＴ部２１５から受ける。そして、ＣＰ挿入部２１６は、スケジューリング処理部３０から受信した制御信号にしたがい、受信した下り信号にＣＰを挿入する。その後、ＣＰ挿入部２１６は、ＣＰを挿入した下り信号をＤ／Ａ変換部２３へ出力する。
【００９２】
これに対して、スケジューリング処理部３０がＳｃｅｌｌの無線リソースの割り当てを停止した場合、ＣＰ挿入部２１６は、無線リソースの割り当てが停止されているので、下り信号に対するＣＰ挿入処理を行わない。
【００９３】
その後、スケジューリング処理部３０がＳｃｅｌｌの無線リソースの割り当てを再開した場合、ＣＰ挿入部２１６は、スケジューリング処理部３０から受信した制御信号にしたがって、下り信号へのＣＰの挿入を再開する。
【００９４】
Ｄ／Ａ変換部２３は、スケジューリング処理部３０がＳｃｅｌｌの無線リソースの割り当てを行った場合、下り信号の入力をＣＰ挿入部２１６から受ける。そして、Ｄ／Ａ変換部２３は、スケジューリング処理部３０から受信した制御信号にしたがい、受信した下り信号をデジタル信号からアナログ信号へと変換する。その後、Ｄ／Ａ変換部２３は、アナログ信号に変換した下り信号をＲＦ処理回路２５の送信ＲＦ部２５１へ出力する。
【００９５】
ＲＦ処理回路２５は、送信ＲＦ部２５１及び受信ＲＦ部２５２を有する。送信ＲＦ部２５１は、スケジューリング処理部３０がＳｃｅｌｌの無線リソースの割り当てを行った場合、アナログ信号に変換された下り信号の入力をＤ／Ａ変換部２３から受ける。そして、送信ＲＦ部２５１は、受信した下り信号を直交変調し、ベースバンド信号から無線周波数信号へと変換する。すなわち、送信ＲＦ部２５１は、下り信号をアップコンバートする。その後、送信ＲＦ部２５１は、無線周波数信号へと変換した下り信号を、アンテナ２６を介して移動局３へ送信する。
【００９６】
受信ＲＦ部２５２は、スケジューリング処理部３０がＳｃｅｌｌの無線リソースの割り当てを行った場合、アンテナ２６を介して上り信号を移動局３から受信する。そして、受信ＲＦ部２５２は、受信した上り信号を無線周波数からベースバンド信号に変換する。すなわち、受信ＲＦ部２５２は、上り信号をダウンコンバートする。その後、受信ＲＦ部２５２は、ベースバンド信号へと変換した上り信号をＡ／Ｄ変換部２４へ出力する。
【００９７】
Ａ／Ｄ変換部２４は、スケジューリング処理部３０がＳｃｅｌｌの無線リソースの割り当てを行った場合、ベースバンド信号へ変換された上り信号の入力を受信ＲＦ部２５２から受ける。そして、Ａ／Ｄ変換部２４は、受信した上り信号をアナログ信号からデジタル信号へと変換する。その後、Ａ／Ｄ変換部２４は、デジタル信号に変換した上り信号を受信部２２へ出力する。
【００９８】
受信部２２は、ＣＰ除去部２２１、ＦＦＴ部２２２、データ／パイロット信号分離部２２３、ＰＵＳＣＨ／ＰＵＣＣＨ受信処理部２２４、パイロット信号復調部２２５、無線品質測定部２２６及び上りＭＡＣ処理部２２９を有する。受信部２２における各部は、スケジューリング処理部３０が無線リソースの割り当てを行った場合、スケジューリング処理部３０から出力される各種制御信号に基づいて以下の処理を行う。
【００９９】
ＣＰ除去部２２１は、スケジューリング処理部３０がＳｃｅｌｌの無線リソースの割り当てを行った場合、デジタル信号に変換された上り信号の入力をＡ／Ｄ変換部２４から受ける。そして、ＣＰ除去部２２１は、スケジューリング処理部３０から受信した制御情報にしたがい、受信した上り信号からＣＰを除去する。その後、ＣＰ除去部２２１は、ＣＰを除去した上り信号をＦＦＴ部２２２へ出力する。
【０１００】
これに対して、スケジューリング処理部３０がＳｃｅｌｌの無線リソースの割り当てを停止した場合、パイロット信号復調部２２５は、無線リソースの割り当てが停止されているので、パイロット信号の復調処理を行わない。
【０１０１】
ＦＦＴ部２２２は、スケジューリング処理部３０がＳｃｅｌｌの無線リソースの割り当てを行った場合、上り信号の入力をＣＰ除去部２２１から受ける。そして、ＦＦＴ部２２２は、スケジューリング処理部３０から受信した制御情報にしたがい、受信した上り信号に対して高速フーリエ変換を施し、時間領域の信号を周波数領域の信号に変換する。その後、ＦＦＴ部２２２は、高速フーリエ変換を施した上り信号をデータ／パイロット信号分離部２２３へ出力する。
【０１０２】
これに対して、スケジューリング処理部３０がＳｃｅｌｌの無線リソースの割り当てを停止した場合、パイロット信号復調部２２５は、無線リソースの割り当てが停止されているので、パイロット信号の復調処理を行わない。
【０１０３】
データ／パイロット信号分離部２２３は、スケジューリング処理部３０がＳｃｅｌｌの無線リソースの割り当てを行った場合、高速フーリエ変換を施された上り信号の入力をＦＦＴ部２２２から受ける。そして、データ／パイロット信号分離部２２３は、スケジューリング処理部３０から受信した制御情報にしたがい、受信した上り信号をデータ信号とパイロット信号に分離する。その後、データ／パイロット信号分離部２２３は、データ信号をＰＵＳＣＨ／ＰＵＣＣＨ受信処理部２２４のデータ復調部２２８へ出力する。また、データ／パイロット信号分離部２２３は、パイロット信号をパイロット信号復調部２２５へ出力する。
【０１０４】
これに対して、スケジューリング処理部３０がＳｃｅｌｌの無線リソースの割り当てを停止した場合、パイロット信号復調部２２５は、無線リソースの割り当てが停止されているので、パイロット信号の復調処理を行わない。
【０１０５】
ＰＵＳＣＨ／ＰＵＣＣＨ受信処理部２２４は、誤り訂正復号器２２７及びデータ復調部２２８を有する。データ復調部２２８は、スケジューリング処理部３０が無線リソースの割り当てを行った場合、データ信号の入力をデータ／パイロット信号分離部２２３から受ける。さらに、データ復調部２２８は、下り信号に含まれるパイロット信号の入力をパイロット信号復調部２２５から受ける。そして、データ復調部２２８は、パイロット信号及びスケジューリング処理部３０から受信した制御情報にしたがい、受信したデータ信号にデータ復調処理を施す。その後、データ復調部２２８は、データ復調処理を施したデータ信号を誤り訂正復号器２２７へ出力する。
【０１０６】
これに対して、スケジューリング処理部３０がＳｃｅｌｌの無線リソースの割り当てを停止した場合、パイロット信号復調部２２５は、無線リソースの割り当てが停止されているので、パイロット信号の復調処理を行わない。
【０１０７】
誤り訂正復号器２２７は、スケジューリング処理部３０がＳｃｅｌｌの無線リソースの割り当てを行った場合、データ復調処理が施されたデータ信号の入力をデータ復調部２２８から受ける。そして、誤り訂正復号器２２７は、スケジューリング処理部３０から受信した制御情報にしたがい、受信したデータ信号を誤り訂正復号化する。その後、誤り訂正復号器２２７は、誤り訂正復号化の処理を施したデータ信号を上りＭＡＣ処理部２２９へ出力する。
【０１０８】
これに対して、スケジューリング処理部３０がＳｃｅｌｌの無線リソースの割り当てを停止した場合、パイロット信号復調部２２５は、無線リソースの割り当てが停止されているので、パイロット信号の復調処理を行わない。
【０１０９】
パイロット信号復調部２２５は、スケジューリング処理部３０がＳｃｅｌｌの無線リソースの割り当てを行った場合、移動局３から送信されたパイロット信号の入力をデータ／パイロット信号分離部２２３から受ける。そして、パイロット信号復調部２２５は、スケジューリング処理部３０から受信した制御情報にしたがい、受信したパイロット信号を復調する。その後、パイロット信号復調部２２５は、復調したパイロット信号をデータ復調部２２８、無線品質測定部２２６及び後述する移動速度測定部５０へ出力する。
【０１１０】
これに対して、スケジューリング処理部３０がＳｃｅｌｌの無線リソースの割り当てを停止した場合、パイロット信号復調部２２５は、無線リソースの割り当てが停止されているので、パイロット信号の復調処理を行わない。
【０１１１】
無線品質測定部２２６は、スケジューリング処理部３０がＳｃｅｌｌの無線リソースの割り当てを行った場合、移動局３から送信されたパイロット信号の入力をデータ／パイロット信号分離部２２３から受ける。そして、無線品質測定部２２６は、受信したパイロット信号を用いてＳＩＲを測定する。無線品質測定部２２６は、測定したＳＩＲをスケジューリング処理部３０へ出力する。
【０１１２】
これに対して、スケジューリング処理部３０がＳｃｅｌｌの無線リソースの割り当てを停止した場合、無線品質測定部２２６は、無線品質の測定の停止の指示をスケジューリング処理部３０から受ける。これを受けて、無線品質測定部２２６は、無線品質の測定を停止する。その後、スケジューリング処理部３０が無線リソースの割り当てを再開した場合、無線品質測定部２２６は、無線品質の測定開始の指示をスケジューリング処理部３０から受ける。これを受けて、無線品質測定部２２６は、無線品質の測定を再開する。
【０１１３】
上りＭＡＣ処理部２２９は、スケジューリング処理部３０がＳｃｅｌｌの無線リソースの割り当てを行った場合、データ信号の入力を誤り訂正復号器２２７から受ける。そして、上りＭＡＣ処理部２２９は、受信したデータ信号に対してＭＡＣ処理を施す。その後、上りＭＡＣ処理部２２９は、ＭＡＣ処理を施したデータ信号をＳ１／Ｘ２インタフェース処理部６０へ出力する。また、上りＭＡＣ処理部２２９は、上りのＭＡＣ  ＣＥのデータ量などの情報をスケジューリング処理部３０へ送信する。
【０１１４】
スケジューリング処理部３０は、ＳＩＲの入力を無線品質測定部１２６及び２２６から受ける。また、スケジューリング処理部３０は、呼制御情報の入力をＲＲＣ処理部４０から受ける。また、スケジューリング処理部３０は、上りＭＡＣ処理部１２９及び２２９からＭＡＣ  ＣＥのデータ量などの情報を受信する。そして、スケジューリング処理部３０は、受信したＳＩＲ及び呼制御情報を用いて、無線基地局１と通信を行う移動局３を選択するスケジューリング処理を行う。
【０１１５】
ここで、スケジューリング処理部３０は、上り信号の処理の場合及び下り信号の処理の場合のそれぞれにおいて、複数の移動局３の中から実際に通信を行う移動局３を選択することが好ましい。スケジューリング処理部３０は、例えば、Ｍａｘｉｍｕｍ  ＣＩＲ（Carrier-to-Interference power Raito）法やＰＦ（Proportional  Fairness）法などを用いて移動局３を選択する。ただし、スケジューリング処理部３０による移動局３の選択処理については、既存の他の方式を用いてもよい。
【０１１６】
また、スケジューリング処理部３０は、受信したＭＡＣ  ＣＥのデータ量やＳＩＲの情報を基に、選択した移動局３との通信において使用する復調方式、変調方式及び伝送レートを決定する。
【０１１７】
そして、スケジューリング処理部３０は、選択した移動局３の情報などをＲＲＣ処理部４０へ出力する。
【０１１８】
また、スケジューリング処理部３０は、選択した移動局３の情報、変調方式及び伝送レートを含む制御情報を誤り訂正符号器１１２、データ変調部１１３、データ／パイロット信号多重部１１４、ＩＦＦＴ部１１５及びＣＰ挿入部１１６に通知する。また、スケジューリング処理部３０は、選択した移動局３の情報、復調方式及び伝送レートを含む制御情報をＣＰ除去部１２１、ＦＦＴ部１２２、データ／パイロット信号分離部１２３、ＰＵＳＣＨ／ＰＵＣＣＨ受信処理部１２４及びパイロット信号復調部１２５に通知する。
【０１１９】
一方、スケジューリング処理部３０は、移動局３との通信においてＳｃｅｌｌを使用するか否かを判定するための移動速度閾値を予め記憶している。スケジューリング処理部３０は、移動局３の移動速度の入力を移動速度測定部５０から受ける。そして、スケジューリング処理部３０は、移動局３の移動速度が移動速度閾値以上か否かを判定する。
【０１２０】
また、スケジューリング処理部３０は、移動速度３の移動速度が移動速度閾値未満であれば、制御情報を誤り訂正符号器２１２、データ変調部２１３、データ／パイロット信号多重部２１４、ＩＦＦＴ部２１５及びＣＰ挿入部２１６に通知する。この制御情報には、選択した移動局３の情報、変調方式及び伝送レートが含まれる。また、スケジューリング処理部３０は、制御情報をＣＰ除去部２２１、ＦＦＴ部２２２及びデータ／パイロット信号分離部２２３へ出力する。さらに、スケジューリング処理部３０は、同様の制御情報を、ＰＵＳＣＨ／ＰＵＣＣＨ受信処理部２２４及びパイロット信号復調部２２５に通知する。この制御情報には、選択した移動局３の情報、復調方式及び伝送レートが含まれる。
【０１２１】
これに対して、移動局３の移動速度が移動速度閾値以上の場合、スケジューリング処理部３０は、Ｓｃｅｌｌの無線リソースの割り当てを停止する。そして、スケジューリング処理部３０は、誤り訂正符号器２１２、データ変調部２１３、データ／パイロット信号多重部２１４、ＩＦＦＴ部２１５及びＣＰ挿入部２１６への制御情報の通知を停止する。また、データ／パイロット信号多重部２１４、ＣＰ除去部２２１、ＦＦＴ部２２２及びデータ／パイロット信号分離部２２３への制御情報の通知を停止する。さらに、スケジューリング処理部３０は、Ａｃｔｉｖａｔｉｏｎ／Ｄｉａｃｔｉｖａｔｉｏｎ  ＭＡＣ  ＣＥ（Control  Element）によるＤｅａｃｔｉｖａｔｉｏｎの送信を下りＭＡＣ処理部１１７に指示する。さらに、スケジューリング処理部３０は、無線品質の測定の停止を無線品質測定部２２６に通知する。
【０１２２】
その後、移動局３の移動速度が移動速度閾値未満となった場合、スケジューリング処理部３０は、Ａｃｔｉｖａｔｉｏｎ／Ｄｉａｃｔｉｖａｔｉｏｎ  ＭＡＣ  ＣＥによるＡｃｔｉｖａｔｉｏｎの送信を下りＭＡＣ処理部１１７に指示する。また、スケジューリング処理部３０は、無線品質の測定の再開を無線品質測定部２２６に通知する。その後、スケジューリング処理部３０は、Ｓｃｅｌｌへの無線リソースの割り当てを再開する。そして、スケジューリング処理部３０は、誤り訂正符号器２１２、データ変調部２１３、データ／パイロット信号多重部２１４、ＩＦＦＴ部２１５及びＣＰ挿入部２１６への制御情報の通知を再開する。また、スケジューリング処理部３０は、ＣＰ除去部２２１、ＦＦＴ部２２２及びデータ／パイロット信号分離部２２３への制御情報の通知を再開する。このスケジューリング処理部３０が、「制御部」の一例にあたる。
【０１２３】
ＲＲＣ処理部４０は、選択した移動局３の状態などの入力をスケジューリング処理部３０から受ける。そして、ＲＲＣ処理部４０は、受信した制御情報を用いてＲＲＣレイヤに関連する送受信処理を行う。具体的には、ＲＲＣ処理部４０は、移動局３に対してページングや呼の確立や呼の解放などの呼受付制御やハンドオーバなどの接続切替制御を行う。ＲＲＣ処理部４０は、接続切替制御時にＲＲＣメッセージをＳ１／Ｘ２インタフェース処理部６０へ出力する。さらに、ＲＲＣ処理部４０は、呼制御情報をスケジューリング処理部３０へ出力する。
【０１２４】
移動速度測定部５０は、パイロット信号の入力をパイロット信号復調部１２５及び２２５から受ける。このパイロット信号は、例えば、ＳＲＳである。そして、移動速度測定部５０は、受信したパイロット信号を用いてフェージング周波数を推定する。例えば、移動速度測定部５０は、パイロット信号に対してスロット時間を単位とした複数組の遅延検波を行う。そして、移動速度測定部５０は、遅延検波出力のそれぞれの実数部を抽出して複数組のスロット時間相関値を算出する。次に、移動速度度測定部５０は、複数組のスロット時間相関値の最小スロット遅延による遅延検波出力対応のスロット時間相関値を分母とし、他のスロット遅延による遅延検波出力対応のスロット時間相関値を分子として処理する。これにより、移動速度測定部５０は、フェージング周波数推定値を測定する。ただし、ここで説明したフェージング周波数の推定方法は、一例であり、移動速度測定部５０は、他の方法を用いてフェージング周波数を推定してもよい。
【０１２５】
そして、移動速度測定部５０は、無線に使用する搬送波の波長にフェージング周波数を乗算して移動局３の移動速度を算出する。すなわち、移動局３の移動速度であるＶ（ｍ／ｓ）は、Ｖ（ｍ／ｓ）＝無線に使用する搬送波の波長（ｍ）×フェージング周波数（Ｈｚ）と表される。その後、移動速度測定部５０は、算出した移動局３の移動速度をスケジューリング処理部３０へ出力する。この移動速度測定部５０が、「測定部」の一例にあたる。
【０１２６】
次に、図４を参照して、本実施例に係る移動局３について説明する。図４は、移動局のブロック図である。図４に示すように、移動局３は、Ｐｃｅｌｌ通信部３０１、Ｓｃｅｌｌ通信部３０２及び制御部３０３を有している。
【０１２７】
Ｐｃｅｌｌ通信部３０１は、送信部３１１、Ｄ／Ａ変換部３１２、送信ＲＦ部３１３、受信ＲＦ部３１４、Ａ／Ｄ変換部３１５及び受信部３１６を有している。
【０１２８】
送信部３１１は、Ｐｃｅｌｌの無線リソースを用いて送信する信号の入力を制御部３０３から受ける。そして、送信部３１１は、取得した信号に対して符号化処理及び変調処理などの送信処理を施す。その後、送信部３１１は、送信処理を施した信号をＤ／Ａ変換部３１２へ出力する。
【０１２９】
Ｄ／Ａ変換部３１２は、送信処理が施された信号の入力を送信部３１１から受ける。そして、Ｄ／Ａ変換部３１２は、取得した信号をアナログ信号に変換する。その後、Ｄ／Ａ変換部３１２は、アナログ変換した信号を送信ＲＦ部３１３へ出力する。
【０１３０】
送信ＲＦ部３１３は、アナログ変換された信号の入力をＤ／Ａ変換部３１２から受ける。そして、送信ＲＦ部３１３は、取得した信号を無線周波数信号に変換する。その後、送信ＲＦ部３１３は、無線周波数信号に変換した信号をアンテナ３０４を介して無線基地局１へ送信する。
【０１３１】
受信ＲＦ部３１４は、無線基地局１から送信されたＰｃｅｌｌ側の信号の入力をアンテナ３０４を介して受信する。この信号には、無線リソースの割り当て情報も含まれる。そして、受信ＲＦ部３１４は、取得した信号をベースバンド信号に変換する。その後、受信ＲＦ部３１４は、ベースバンド信号に変換した信号をＡ／Ｄ変換部３１５へ出力する。
【０１３２】
Ａ／Ｄ変換部３１５は、ベースバンド信号に変換された信号の入力を受信ＲＦ部３１４から受ける。そして、Ａ／Ｄ変換部３１５は、取得した信号をデジタル信号に変換する。その後、Ａ／Ｄ変換部３１５は、デジタル変換した信号を受信部３１６へ出力する。
【０１３３】
受信部３１６は、デジタル変換された信号の入力をＡ／Ｄ変換部３１５から受ける。そして、受信部３１６は、取得した信号に対して復号化処理及び復調処理などの受信処理を施す。その後、受信部３１６は、受信処理を施した信号を制御部３０３へ出力する。特に、信号が制御信号の場合、受信部３１６は、取得した信号から無線基地局１と通信するための下りリンク及び上りリンクに対応する無線リソース割り当て情報を抽出する。そして、受信部３１６は、無線リソース割り当て情報を制御部３０３へ出力する。
【０１３４】
Ｓｃｅｌｌ通信部３０２は、送信部３２１、Ｄ／Ａ変換部３２２、送信ＲＦ部３２３、受信ＲＦ部３２４、Ａ／Ｄ変換部３２５及び受信部３２６を有している。
【０１３５】
送信部３２１は、Ｓｃｅｌｌの無線リソースを用いて送信する信号の入力を制御部３０３から受ける。そして、送信部３２１は、取得した信号に対して符号化処理及び変調処理などの送信処理を施す。その後、送信部３２１は、送信処理を施した信号をＤ／Ａ変換部３２２へ出力する。
【０１３６】
Ｄ／Ａ変換部３２２は、送信処理が施された信号の入力を送信部３２１から受ける。そして、Ｄ／Ａ変換部３２２は、取得した信号をアナログ信号に変換する。その後、Ｄ／Ａ変換部３２２は、アナログ変換した信号を送信ＲＦ部３２３へ出力する。
【０１３７】
送信ＲＦ部３２３は、アナログ変換された信号の入力をＤ／Ａ変換部３２２から受ける。そして、送信ＲＦ部３２３は、取得した信号を無線周波数信号に変換する。その後、送信ＲＦ部３２３は、無線周波数信号に変換した信号をアンテナ３０４を介して無線基地局１へ送信する。
【０１３８】
これに対して、Ｄａｃｔｉｖａｔｉｏｎが無線基地局１から送られてきた場合、Ｓｃｅｌｌの無線リソースを用いた信号の送信は行われないので、送信部３２１、Ｄ／Ａ変換部３２２及び送信ＲＦ部３２３は、信号の送信を行わない。
【０１３９】
受信ＲＦ部３２４は、無線基地局１から送信されたＰｃｅｌｌ側の信号の入力をアンテナ３０４を介して受信する。この信号には、無線リソースの割り当て情報も含まれる。そして、受信ＲＦ部３２４は、取得した信号をベースバンド信号に変換する。その後、受信ＲＦ部３２４は、ベースバンド信号に変換した信号をＡ／Ｄ変換部３２５へ出力する。
【０１４０】
Ａ／Ｄ変換部３２５は、ベースバンド信号に変換された信号の入力を受信ＲＦ部３２４から受ける。そして、Ａ／Ｄ変換部３２５は、取得した信号をデジタル信号に変換する。その後、Ａ／Ｄ変換部３２５は、デジタル変換した信号を受信部３２６へ出力する。
【０１４１】
受信部３２６は、デジタル変換された信号の入力をＡ／Ｄ変換部３２５から受ける。そして、受信部３２６は、取得した信号に対して復号化処理及び復調処理などの受信処理を施す。その後、受信部３２６は、受信処理を施した信号を制御部３０３へ出力する。特に、信号が制御信号の場合、受信部３２６は、取得した信号から無線基地局１と通信するための下りリンク及び上りリンクに対応する無線リソース割り当て情報を抽出する。そして、受信部３２６は、無線リソース割り当て情報を制御部３０３へ出力する。
【０１４２】
また、無線基地局１のスケジューリング処理部３０においてＳｃｅｌｌの無線リソースの割り当てが停止された場合、受信ＲＦ部３２４は、Ｄｅａｃｔｉｖａｔｉｏｎの信号を受信する。そして、受信ＲＦ部３２４、Ａ／Ｄ変換部３２５及び受信部３２６は、Ｄｅａｃｔｉｖａｔｉｏｎの信号に対して各処理を施し、制御部３０３へ出力する。
【０１４３】
この場合、Ｓｃｅｌｌの無線リソースを用いた信号は無線基地局１から送られてこないので、受信ＲＦ部３２４、Ａ／Ｄ変換部３２５及び受信部３１６は、信号の受信を行わない。
【０１４４】
その後、無線基地局１のスケジューリング処理部３０においてＳｃｅｌｌの無線リソースの割り当てが再開された場合、受信ＲＦ部３２４は、Ａｃｔｉｖａｔｉｏｎの信号を受信する。そして、受信ＲＦ部３２４、Ａ／Ｄ変換部３２５及び受信部３２６は、Ａｃｔｉｖａｔｉｏｎの信号に対して各処理を施し、制御部３０３へ出力する。
【０１４５】
制御部３０３は、無線基地局１から送信された信号の入力を受信部３１６又は３２６から受ける。
【０１４６】
特に信号が制御信号の場合、制御部３０３は、無線基地局１と通信するための下りリンク及び上りリンクに対応する無線リソース割り当て情報の入力を受信部３１６又は３２６から受ける。そして、制御部３０３は、取得した無線リソースの割り当て情報に応じて送信部３１１，３２１及び受信部３１６，３２６に対してデータ送受信処理の制御を実施する。
【０１４７】
また、無線基地局１のスケジューリング処理部３０においてＳｃｅｌｌの無線リソースの割り当てが停止された場合、制御部３０３は、Ｄｅａｃｔｉｖａｔｉｏｎの指示を受信部３２６から受信する。この場合、制御部３０３は、Ｓｃｅｌｌの無線リソースを用いたデータの送信を停止する。また、制御部３０３は、Ｓｃｅｌｌの無線リソースを用いたＳＲＳなどのパイロット信号の送信を停止する。
【０１４８】
その後、無線基地局１のスケジューリング処理部３０においてＳｃｅｌｌの無線リソースの割り当てが再開された場合、制御部３０３は、Ａｃｔｉｖａｔｉｏｎの指示を受信部３２６から受信する。この場合、制御部３０３は、Ｓｃｅｌｌの無線リソースを用いたデータの送信を再開する。また、制御部３０３は、Ｓｃｅｌｌの無線リソースを用いたＳＲＳなどのパイロット信号の送信を再開する。
【０１４９】
次に、図５を参照して、本実施例に係る無線基地局１によるＳｃｅｌｌの無線リソースの割当処理の流れについて説明する。図５は、実施例１に係る無線基地局によるＳｃｅｌｌの無線リソースの割当処理のフローチャートである。
【０１５０】
移動速度測定部５０は、Ｐｃｅｌｌ通信部１０のパイロット信号復調部１２５から取得したパイロット信号を用いて移動局３の移動速度Ｖ（ｍ／ｓ）を算出する（ステップＳ１０１）。
【０１５１】
スケジューリング処理部３０は、移動速度Ｖ（ｍ／ｓ）の入力を移動速度測定部５０から受ける。そして、スケジューリング処理部３０は、移動速度Ｖが移動速度閾値Ｖｔｈ以上か否かを判定する（ステップＳ１０２）。Ｖ≧Ｖｔｈの場合（ステップＳ１０２：肯定）、スケジューリング処理部３０は、Ｓｃｅｌｌの無線リソースの割り当てが停止状態か否かを判定する（ステップＳ１０３）。
【０１５２】
Ｓｃｅｌｌの無線リソースの割り当てが停止状態の場合（ステップＳ１０３：肯定）、スケジューリング処理部３０は、ステップＳ１０７へ進む。
【０１５３】
これに対して、Ｓｃｅｌｌの無線リソースの割り当てが停止状態でない場合（ステップＳ１０３：否定）、スケジューリング処理部３０は、Ｓｃｅｌｌの無線リソースの割り当てを停止する（ステップＳ１０４）。
【０１５４】
また、スケジューリング処理部３０は、無線品質測定の停止を無線品質測定部２２６に指示する。無線品質測定部２２６は、指示を受けて、Ｓｃｅｌｌの無線品質測定を停止する（ステップＳ１０５）。
【０１５５】
さらに、スケジューリング処理部３０は、Ａｃｔｉｖａｔｉｏｎ／Ｄｉａｃｔｉｖａｔｉｏｎ  ＭＡＣ  ＣＥによるＤｅａｃｔｉｖａｔｉｏｎの送信を下りＭＡＣ処理部１１７に指示する（ステップＳ１０６）。
【０１５６】
そして、スケジューリング処理部３０は、Ｐｃｅｌｌの利用可能な無線リソースの割り当てを行い、移動局３との通信を行う（ステップＳ１０７）。
【０１５７】
一方、Ｖ＜Ｖｔｈの場合（ステップＳ１０２：否定）、スケジューリング処理部３０は、Ｓｃｅｌｌの無線リソースの割り当てが停止状態か否かを判定する（ステップＳ１０８）。Ｓｃｅｌｌの無線リソースの割り当てが停止状態でない場合（ステップＳ１０８：否定）、スケジューリング処理部３０は、ステップＳ１１２へ進む。
【０１５８】
これに対して、Ｓｃｅｌｌの無線リソースの割り当てが停止状態の場合（ステップＳ１０８：肯定）、スケジューリング処理部３０は、Ａｃｔｉｖａｔｉｏｎの送信を下りＭＡＣ処理部１１７に指示する（ステップＳ１０９）。このＡｃｔｉｖａｔｉｏｎも、Ａｃｔｉｖａｔｉｏｎ／Ｄｉａｃｔｉｖａｔｉｏｎ  ＭＡＣ  ＣＥを用いて行われる。
【０１５９】
また、スケジューリング処理部３０は、無線品質測定の開始を無線品質測定部２２６に指示する。無線品質測定部２２６は、指示を受けて、Ｓｃｅｌｌの無線品質測定を開始する（ステップＳ１１０）。
【０１６０】
さらに、スケジューリング処理部３０は、Ｓｃｅｌｌの無線リソースの割り当てを開始する（ステップＳ１１１）。
【０１６１】
そして、スケジューリング処理部３０は、Ｐｃｅｌｌ及びＳｃｅｌｌの利用可能な無線リソースの割り当てを行い、移動局３との通信を行う（ステップＳ１１２）。
【０１６２】
次に、図６を参照して、本実施例に係る無線基地局１と移動局３との間におけるＳｃｅｌｌの無線リソースの割当処理の流れについて説明する。図６は、実施例１に係る無線基地局と移動局との間におけるＳｃｅｌｌの無線リソースの割当処理のシーケンス図である。
【０１６３】
無線基地局１のスケジューリング処理部３０は、移動局３の移動速度と移動速度閾値とを比較して、高速移動中の移動局３を検出する（ステップＳ１２１）。
【０１６４】
そして、無線基地局１のスケジューリング処理部３０は、Ｓｃｅｌｌの無線リソースの割り当てを停止する（ステップＳ１２２）。
【０１６５】
また、無線基地局１の無線品質測定部２２６は、Ｓｃｅｌｌの無線品質測定を停止する（ステップＳ１２３）。
【０１６６】
さらに、無線基地局１は、Ａｃｔｉｖａｔｉｏｎ／Ｄｉａｃｔｉｖａｔｉｏｎ  ＭＡＣ  ＣＥによりＤｅａｃｔｉｖａｔｉｏｎを移動局３に送信する（ステップＳ１２４）。
【０１６７】
移動局３の制御部３０３は、Ｄｅａｃｔｉｖａｔｉｏｎの信号を受信する。そして、制御部３０３は、ＳＲＳなどのパイロット信号の送信を停止する（ステップＳ１２５）。
【０１６８】
その後、無線基地局１のスケジューリング処理部３０は、移動局３の移動速度と移動速度閾値とを比較して、高速移動していた移動局３が低速移動に遷移したことを検出する（ステップＳ１２６）。
【０１６９】
そして、無線基地局１は、Ａｃｔｉｖａｔｉｏｎ／Ｄｉａｃｔｉｖａｔｉｏｎ  ＭＡＣ  ＣＥによりＡｃｔｉｖａｔｉｏｎを移動局３に送信する（ステップＳ１２７）。
【０１７０】
移動局３の制御部３０３は、Ａｃｔｉｖａｔｉｏｎの信号を受信する。そして、制御部３０３は、ＳＲＳなどのパイロット信号の送信を開始する（ステップＳ１２８）。
【０１７１】
また、無線基地局１の無線品質測定部２２６は、Ｓｃｅｌｌの無線品質測定を開始する（ステップＳ１２９）。
【０１７２】
無線基地局１のスケジューリング処理部３０は、Ｓｃｅｌｌの無線リソースの割り当てを開始する（ステップＳ１３０）。
【０１７３】
以上に説明したように、本実施例に係る無線基地局は、Ｐｃｅｌｌ側のパイロット信号を用いて移動局の移動速度を判定し、移動速度の高低により無線環境を判定して、Ｓｃｅｌｌの無線リソースの割り当てを行うか否かを判定する。さらに、本実施例に係る無線基地局は、Ｓｃｅｌｌの無線リソースを割り当てない場合、Ｓｃｅｌｌの無線品質測定を停止し、且つ、移動局にＳｃｅｌｌのパイロット信号の送信を停止させる。これにより、移動速度が高く無線環境が悪化した移動局に対する無線リソースの割り当てを抑止することができ、無線通信システム全体のスループットを改善できる。さらに、無線品質測定分の処理負荷を軽減でき、無線基地局の消費電力も低減することができる。また、移動局においては、パイロット信号の送信を停止することで、バッテリーを長持ちさせることができる。さらに、移動速度が低くなった場合に、Ｓｃｅｌｌの無線リソースの割り当てを再開することで、無線品質が悪化した環境下での再送処理の繰り返しにより生ずる無線リソースの浪費を抑えることができる。
【０１７４】
また、後述するＳＲＳリソースや無線リンクを解放する場合に比べて、ＳＲＳリソースや無線リンクの解放処理及び再設定処理を行わないため、それらの場合に比べて処理が簡易であり、Ｓｃｅｌｌへの無線リソース割り当てを迅速に再開できる。無線品質測定を用いずとも適切なタイミングでＳｃｅｌｌの無線リソースの割り当てを再開でき、処理負荷及び電力消費を抑えつつ、無線品質を向上させることができる。
【０１７５】
ここで、本実施例では、Ｓｃｅｌｌの無線リソースの割り当てを停止する場合の無線環境の悪化の判定を、移動速度を用いて行った。これは、無線リソースの割り当ての停止及び再開の判定基準を統一することで処理を簡易にするためである。しかし、無線環境の判定は、無線環境が悪化したことを判定できるのであれば他の方法を用いてもよい。例えば、スケジューリング処理部３０は、ＰＵＳＣＨの受信ＮＧ判定が多くなった場合に、無線環境が悪化したと判定して、Ｓｃｅｌｌの無線リソースの割り当てを停止させてもよい。
【０１７６】
また、本実施例では、Ｓｃｅｌｌの無線リソースの割り当ての停止及び再開のＭＡＣ  ＣＥのＡｃｔｉｖａｔｉｏｎ及びＤｅａｃｔｉｖａｔｉｏｎの生成及び送信をＰｃｅｌｌで行っている。ただし、無線基地局１と移動局３との間に複数のＳｃｅｌｌが設定されている場合には、無線リソースの割り当てが停止されていない別のＳｃｅｌｌを用いてＭＡＣ  ＣＥを送信することもできる。
【０１７７】
（変形例）
実施例１では、移動速度測定部５０は、フェージング周波数を推定して移動局３の移動速度を求めたが、移動速度の算出方法はこれに限らない。例えば、移動速度測定部５０は、位置情報を用いて移動局３の移動速度を求めてもよい。そこで、位置情報を用いて移動局３の移動速度を算出する場合の例を説明する。図７は、変形例に係る無線基地局のブロック図である。
【０１７８】
移動速度測定部５０は、位置情報取得周期毎に移動局３の位置情報をＲＲＣ処理部４０から取得する。移動速度測定部５０は、移動局の位置情報としてLocationInfo内のellipsoidPointWithAltitudeに規定されている「経度」、「緯度」及び「標高」の情報を用いることができる。移動速度測定部５０は、位置情報の測定を予め決められた位置情報取得回数分繰り返す。
【０１７９】
そして、移動速度測定部５０は、取得した位置情報の内のあるタイミングの位置情報と一つ前のタイミングの位置情報から移動距離を求め、求めた移動距離を位置情報取得周期で除算することで、そのタイミングにおける移動速度を求める。ここで、あるタイミングの位置情報ＮｅｗＰｏｓ＝（ＮＬａｔ，ＮＬｏｎ，ＮＡｌｔ）とする。さらに、一つ前のタイミングの位置情報をＯｌｄＰｏｓ＝（ＯＬａｔ，ＯＬｏｎ，ＯＡｌｔ）とする。ここで、ＮＬａｔ及びＯＬａｔは緯度を表し、ＮＬｏｎ及びＯＬｏｎは経度を表し、ＮＡｌｔ及びＯＡｌｔは標高を表す。さらに、位置情報取得周期をＴとすると、移動局３の移動速度Ｖ（ｍ／ｓ）は、次の数式（１）で表される。
【０１８０】
【数１】
2016076748.tif 000003
【０１８１】
移動速度測定部５０は、各タイミングにおける移動速度を上述した方法で求め、求めた各移動速度の平均を算出する。そして、移動速度測定部５０は、算出した値を移動速度としてスケジューリング処理部３０へ出力する。ここで、移動情報取得回数をＣｎｔＴｈとし各タイミングの移動速度をＶｉとすると、移動速度の平均ＡｖｅＶ（ｍ／ｓ）は、次の数式（２）で表される。
【０１８２】
【数２】
2016076748.tif 000004
【０１８３】
なお、ここでは移動速度の精度を上げるために複数回移動速度を求めてそれらの平均を移動速度としたが、これに限らず、移動速度測定部５０は、移動速度を１回算出しその値を移動速度としてスケジューリング処理部３０へ出力してもよい。
【０１８４】
さらに、図８を参照して、本変形例に係る移動速度測定部による移動速度の算出の流れについて説明する。図８は、変形例に係る移動速度測定部による移動速度の算出のフローチャートである。
【０１８５】
移動速度測定部５０は、位置情報取得回数を０とする。すなわち、位置情報取得回数をｉとすると、移動速度測定部５０は、ｉ＝０とする（ステップＳ５０１）。
【０１８６】
そして、移動速度測定部５０は、ＲＲＣ処理部４０から移動局３の位置情報（ＰｏｓＵＥ）を取得する（ステップＳ５０２）。
【０１８７】
次に、移動速度測定部５０は、新しい位置情報（ＮｅｗＰｏｓ）を、取得した位置情報（ＰｏｓＵＥ）とする。すなわち、移動速度測定部５０は、ＮｅｗＰｏｓ＝ＰｏｓＵＥとする（ステップＳ５０３）。
【０１８８】
次に、移動速度測定部５０は、移動局３の位置情報取得周期タイマを起動する（ステップＳ５０４）。この位置情報取得周期タイマは、移動速度測定部５０が有する。
【０１８９】
移動速度測定部５０は、位置情報取得周期タイマを用いて位置情報取得周期が到来したか否かを判定する（ステップＳ５０５）。位置情報取得周期が到来していない場合（ステップＳ５０５：否定）、移動速度測定部５０は、位置情報取得周期が到来するまで待機する。
【０１９０】
位置情報取得周期が到来した場合（ステップＳ５０５：肯定）、移動速度測定部５０は
移動局３の位置情報（ＰｏｓＵＥ）を取得する（ステップＳ５０６）。
【０１９１】
次に、移動速度測定部５０は、位置情報取得回数ｉを１つインクリメントする（ステップＳ５０７）。
【０１９２】
次に、移動速度測定部５０は、現在の新しい位置情報（ＮｅｗＰｏｓ）を１つ前の位置情報（ＯｌｄＰｏｓ）とする。すなわち、移動速度測定部５０は、ＯｌｄＰｏｓ＝ＮｅｗＰｏｓとする（ステップＳ５０８）。
【０１９３】
そして、移動速度測定部５０は、数式（１）を用いてｉ回目の移動速度Ｖｉを算出する（ステップＳ５０９）。
【０１９４】
その後、移動速度測定部５０は、位置情報取得回数ｉが移動速度取得回数に達したか否かを判定する（ステップＳ５１０）。位置情報取得回数ｉが移動速度取得回数に達していない場合（ステップＳ５１０：否定）、移動速度測定部５０は、ステップＳ５０３へ戻る。
【０１９５】
これに対して、位置情報取得回数ｉが移動速度取得回数に達した場合（ステップＳ５１０：肯定）、移動速度測定部５０は、数式（２）を用いて移動局３の平均移動速度を算出する（ステップＳ５１１）。
【０１９６】
その後、移動速度測定部５０は、位置情報取得周期タイマを停止し（ステップＳ５１２）、移動局３の移動速度の算出を終了する。
【０１９７】
以上に説明したように、移動速度の算出方法は様々な方法を用いることができる。そして、移動速度の算出方法が異なっても、実施例１と同様の効果を得ることができる。
【実施例２】
【０１９８】
次に、実施例２について説明する。本実施例に係る無線基地局は、ＳｃｅｌｌのＳＲＳリソースを解放することが実施例１と異なる。本実施例に係る無線基地局も図３で表される。以下では、実施例１と同様の各部の機能については説明を省略する。
【０１９９】
スケジューリング処理部３０は、移動速度測定部５０から取得した移動局３の移動速度が移動速度閾値以上と判定すると、その移動局３に対するＳｃｅｌｌの無線リソースの割り当てを停止する。
【０２００】
また、スケジューリング処理部３０は、移動速度が移動速度閾値以上となった移動局３に対して設定していたＳｃｅｌｌのＳＲＳリソースを解放する。具体的には、スケジューリング処理部３０は、各移動局３に対応させてそれぞれの移動局３に現在設定しているＳＲＳリソースを記憶している。そして、スケジューリング処理部３０は、記憶している移動局３と設定しているＳＲＳリソースとの対応を解消することで、ＳＲＳリソースを解放する。これにより、スケジューリング処理部３０は、無線品質測定部２２６による無線品質の測定を停止させる。そして、スケジューリング処理部３０は、ＳＲＳリソースを解放することで、他の移動局３に解放したＳＲＳリソースを設定することができるようになる。
【０２０１】
さらに、スケジューリング処理部３０は、ＳＲＳリソースの解放の通知をＲＲＣ処理部４０に指示する。
【０２０２】
その後、移動局３の移動速度が移動速度閾値未満となると、スケジューリング処理部３０は、ＳｃｅｌｌのＳＲＳリソースをその移動局３に設定する。
【０２０３】
さらに、スケジューリング処理部３０は、ＳＲＳリソースの設定の通知をＲＲＣ処理部４０に指示する。
【０２０４】
また、スケジューリング処理部３０は、無線品質の測定の開始を無線品質測定部２２６へ通知する。
【０２０５】
そして、スケジューリング処理部３０は、移動速度が移動速度閾値未満となった移動局３に対するＳｃｅｌｌの無線リソースの割り当てを再開する。
【０２０６】
ＲＲＣ処理部４０は、移動局３に対するＳｃｅｌｌの無線リソースの割り当てが停止された場合、ＳＲＳリソースの解放の通知をスケジューリング処理部３０から受ける。そして、ＲＲＣ処理部４０は、ＳｃｅｌｌのＳＲＳリソースを解放するＲＲＣメッセージを生成する。そして、ＲＲＣ処理部４０は、Ｓ１／Ｘ２インタフェース処理部６０、下りＭＡＣ処理部１１７、送信部１１、Ｄ／Ａ変換部１３、送信ＲＦ部１５１及びアンテナ１６を介して、移動局３へ生成したＲＲＣメッセージを送信する。
【０２０７】
その後、移動局３に対する無線リソースの割り当てが再開された場合、ＲＲＣ処理部４０は、ＳＲＳリソースの設定の通知をスケジューリング処理部３０から受ける。そして、ＲＲＣ処理部４０は、ＳｃｅｌｌのＳＲＳリソースを設定するＲＲＣメッセージを生成する。そして、ＲＲＣ処理部４０は、Ｓ１／Ｘ２インタフェース処理部６０、下りＭＡＣ処理部１１７、送信部１１、Ｄ／Ａ変換部１３、送信ＲＦ部１５１及びアンテナ１６を介して、移動局３へ生成したＲＲＣメッセージを送信する。
【０２０８】
ここで、現在３ＧＰＰ（3rd  Generation  Partnership  Project）では、ＳｃｅｌｌのＳＲＳリソースを解放や設定を行うＲＲＣメッセージが定義されていない。そこで、本実施例では、ＲＲＣ処理部４０は、新たに定義されたＳｃｅｌｌのＳＲＳリソースを解放するＲＲＣメッセージ及びＳｃｅｌｌのＳＲＳリソースを設定するＲＲＣメッセージを用いる。
【０２０９】
無線品質測定部２２６は、スケジューリング処理部３０により移動局３に対するＳｃｅｌｌのＳＲＳリソースが解放されると、ＳＲＳなどのパケット信号を受信しなくなり、無線品質測定を停止する。
【０２１０】
その後、移動局３に対するＳｃｅｌｌの無線リソースの割り当てが再開された場合、無線品質測定部２２６は、その移動局３のＳｃｅｌｌの無線品質の測定の指示をスケジューリング処理部３０から受ける。無線品質測定部２２６は、指示を受けてその移動局３のＳｃｅｌｌの無線品質の測定を再開する。
【０２１１】
移動局３の制御部３０３は、アンテナ３０４、Ｓｃｅｌｌ通信部３０２を介して、ＳＲＳリソースを解放するＲＲＣメッセージを受信する。そして、制御部３０３は、ＳＲＳを含むパイロット送信を停止する。
【０２１２】
その後、移動局３に対する無線リソースの割り当てが再開された場合、移動局３の制御部３０３は、アンテナ３０４、Ｓｃｅｌｌ通信部３０２を介して、ＳＲＳリソースを設定するＲＲＣメッセージを受信する。そして、制御部３０３は、ＳＲＳを含むパイロット送信を再開する。
【０２１３】
次に、図９を参照して、本実施例に係る無線基地局１によるＳｃｅｌｌの無線リソースの割当処理の流れについて説明する。図９は、実施例２に係る無線基地局によるＳｃｅｌｌの無線リソースの割当処理のフローチャートである。
【０２１４】
移動速度測定部５０は、Ｐｃｅｌｌ通信部１０のパイロット信号復調部１２５から取得したパイロット信号を用いて移動局３の移動速度Ｖ（ｍ／ｓ）を算出する（ステップＳ２０１）。
【０２１５】
スケジューリング処理部３０は、移動速度Ｖ（ｍ／ｓ）の入力を移動速度測定部５０から受ける。そして、スケジューリング処理部３０は、移動速度Ｖが移動速度閾値Ｖｔｈ以上か否かを判定する（ステップＳ２０２）。Ｖ≧Ｖｔｈの場合（ステップＳ２０２：肯定）、スケジューリング処理部３０は、Ｓｃｅｌｌの無線リソースの割り当てが停止状態か否かを判定する（ステップＳ２０３）。
【０２１６】
Ｓｃｅｌｌの無線リソースの割り当てが停止状態の場合（ステップＳ２０３：肯定）、スケジューリング処理部３０は、ステップＳ２０７へ進む。
【０２１７】
これに対して、Ｓｃｅｌｌの無線リソースの割り当てが停止状態でない場合（ステップＳ２０３：否定）、スケジューリング処理部３０は、Ｖ≧Ｖｔｈとなった移動局３に対するＳｃｅｌｌの無線リソースの割り当てを停止する（ステップＳ２０４）。
【０２１８】
また、スケジューリング処理部３０は、Ｖ≧Ｖｔｈとなった移動局３に対するＳｃｅｌｌのＳＲＳリソースを解放する（ステップＳ２０５）。
【０２１９】
さらに、スケジューリング処理部３０は、ＳｃｅｌｌのＳＲＳリソースの解放の通知をＲＲＣ処理部４０に指示する。ＲＲＣ処理部４０は、ＳｃｅｌｌのＳＲＳリソースを解放するＲＲＣメッセージをＶ≧Ｖｔｈとなった移動局３に送信する（ステップＳ２０６）。
【０２２０】
そして、スケジューリング処理部３０は、Ｐｃｅｌｌの利用可能な無線リソースの割り当てを行い、Ｖ≧Ｖｔｈとなった移動局３との通信を行う（ステップＳ２０７）。
【０２２１】
一方、Ｖ＜Ｖｔｈの場合（ステップＳ２０２：否定）、スケジューリング処理部３０は、Ｓｃｅｌｌの無線リソースの割り当てが停止状態か否かを判定する（ステップＳ２０８）。Ｓｃｅｌｌの無線リソースの割り当てが停止状態でない場合（ステップＳ２０８：否定）、スケジューリング処理部３０は、ステップＳ２１３へ進む。
【０２２２】
これに対して、Ｓｃｅｌｌの無線リソースの割り当てが停止状態の場合（ステップＳ２０８：肯定）、スケジューリング処理部３０は、Ｖ＜Ｖｔｈとなった移動局３に対してＳｃｅｌｌのＳＲＳリソースを設定する（ステップＳ２０９）。
【０２２３】
また、スケジューリング処理部３０は、ＳｃｅｌｌのＳＲＳリソースの設定の通知をＲＲＣ処理部４０に指示する。ＲＲＣ処理部４０は、ＳｃｅｌｌのＳＲＳリソースを設定するＲＲＣメッセージをＶ＜Ｖｔｈとなった移動局３に送信する（ステップＳ２１０）。
【０２２４】
また、スケジューリング処理部３０は、無線品質測定の開始を無線品質測定部２２６に指示する。無線品質測定部２２６は、Ｖ＜Ｖｔｈとなった移動局３のＳｃｅｌｌの無線品質測定を開始する（ステップＳ２１１）。
【０２２５】
さらに、スケジューリング処理部３０は、Ｖ＜Ｖｔｈとなった移動局３に対するＳｃｅｌｌの無線リソースの割り当てを開始する（ステップＳ２１２）。
【０２２６】
そして、スケジューリング処理部３０は、Ｐｃｅｌｌ及びＳｃｅｌｌの利用可能な無線リソースの割り当てを行い、Ｖ＜Ｖｔｈとなった移動局３との通信を行う（ステップＳ２１３）。
【０２２７】
次に、図１０を参照して、本実施例に係る無線基地局１と移動局３との間におけるＳｃｅｌｌの無線リソースの割当処理の流れについて説明する。図１０は、実施例２に係る無線基地局と移動局との間におけるＳｃｅｌｌの無線リソースの割当処理のシーケンス図である。
【０２２８】
無線基地局１のスケジューリング処理部３０は、移動局３の移動速度と移動速度閾値とを比較して、高速移動中の移動局３を検出する（ステップＳ２２１）。
【０２２９】
そして、無線基地局１のスケジューリング処理部３０は、検出した移動局３に対するＳｃｅｌｌの無線リソースの割り当てを停止する（ステップＳ２２２）。
【０２３０】
また、無線基地局１のスケジューリング処理部３０は、検出した移動局３に設定していたＳｃｅｌｌのＳＲＳリソースを解放する（ステップＳ２２３）。これにより、無線基地局１の無線品質測定部２２６は、検出した移動局３に対するＳｃｅｌｌの無線品質測定を停止する。
【０２３１】
さらに、無線基地局１のＲＲＳ処理部４０は、ＳｃｅｌｌのＳＲＳリソースの解放を指示するＳＲＳメッセージを検出した移動局３に送信する（ステップＳ２２４）。
【０２３２】
移動局３の制御部３０３は、ＳｃｅｌｌのＳＲＳリソースを解放するＳＲＳメッセージを受信する。そして、制御部３０３は、ＳｃｅｌｌのＳＲＳリソースを解放し、ＳＲＳなどのパイロット信号の送信を停止する（ステップＳ２２５）。
【０２３３】
そして、移動局３の制御部３０３は、ＳｃｅｌｌのＳＲＳリソースの解放指示への応答を無線基地局１へ送信する（ステップＳ２２６）。
【０２３４】
その後、無線基地局１のスケジューリング処理部３０は、移動局３の移動速度と移動速度閾値とを比較して、高速移動していた移動局３が低速移動に遷移したことを検出する（ステップＳ２２７）。
【０２３５】
そして、無線基地局１のＲＲＳ処理部４０は、ＳｃｅｌｌのＳＲＳリソースの設定を指示するＳＲＳメッセージを検出した移動局３に送信する（ステップＳ２２８）。
【０２３６】
移動局３の制御部３０３は、ＳｃｅｌｌのＳＲＳリソースを設定するＲＲＳメッセージを受信する。そして、制御部３０３は、ＳｃｅｌｌのＳＲＳリソースを設定する（ステップＳ２２９）。
【０２３７】
そして、制御部３０３は、ＳＲＳなどのパイロット信号の送信を開始する（ステップＳ２３０）。
【０２３８】
その後、移動局３の制御部３０３は、ＳｃｅｌｌのＳＲＳリソースの設定指示への応答を無線基地局１へ送信する（ステップＳ２３１）。
【０２３９】
無線基地局１の無線品質測定部２２６は、検出した移動局３のＳｃｅｌｌの無線品質測定を開始する（ステップＳ２３２）。
【０２４０】
無線基地局１のスケジューリング処理部３０は、検出した移動局３に対するＳｃｅｌｌの無線リソースの割り当てを開始する（ステップＳ２３３）。
【０２４１】
以上に説明したように、本実施例に係る無線基地局は、移動局の無線環境が悪化した場合に、ＳｃｅｌｌのＳＲＳリソースを解放する。ＳＲＳリソースの範囲は、無線基地局の処理性能に応じて制限されることが多い。そのため、無線基地局内の移動局数が多くなった場合、無線基地局で収容できるＳＲＳリソースが枯渇するおそれがある。この点、本実施例に係る無線基地局は、実施例１に比べてＳｃｅｌｌの無線リソースを有効利用することができ、ＳＲＳリソースの枯渇を回避できる可能性が高くなる。
【実施例３】
【０２４２】
次に、実施例３について説明する。本実施例に係る無線基地局は、Ｓｃｅｌｌの無線リンクを解放することが実施例１と異なる。本実施例に係る無線基地局も図３で表される。以下では、実施例１と同様の各部の機能については説明を省略する。
【０２４３】
スケジューリング処理部３０は、移動速度測定部５０から取得した移動局３の移動速度が移動速度閾値以上と判定すると、その移動局３に対するＳｃｅｌｌの無線リソースの割り当てを停止する。
【０２４４】
また、スケジューリング処理部３０は、移動速度が移動速度閾値以上となった移動局３に対して設定していたＳｃｅｌｌとの無線リンクを解放する。具体的には、スケジューリング処理部３０は、各移動局３に対してＳｃｅｌｌの無線リンクが設定されているか否かを記憶している。そして、スケジューリング処理部３０は、移動速度が移動速度閾値以上となった移動局３にＳｃｅｌｌとの無線リンクが設定されていないことを示す情報を登録する。これにより、スケジューリング処理部３０は、無線品質測定部２２６による無線品質の測定を停止させる。そして、スケジューリング処理部３０は、Ｓｃｅｌｌとの無線リンクを解放することで、他の移動局３に解放したＳｃｅｌｌとの無線リンクを設定することができるようになる。
【０２４５】
さらに、スケジューリング処理部３０は、Ｓｃｅｌｌとの無線リンクの解放の通知をＲＲＣ処理部４０に指示する。
【０２４６】
その後、移動局３の移動速度が移動速度閾値未満となると、スケジューリング処理部３０は、Ｓｃｅｌｌとの無線リンクをその移動局３に設定する。
【０２４７】
さらに、スケジューリング処理部３０は、Ｓｃｅｌｌとの無線リンクの設定の通知をＲＲＣ処理部４０に指示する。
【０２４８】
また、スケジューリング処理部３０は、移動速度が移動速度閾値未満となった移動局３のＳｃｅｌｌの無線品質の測定の開始を無線品質測定部２２６へ通知する。
【０２４９】
そして、スケジューリング処理部３０は、移動速度が移動速度閾値未満となった移動局３に対するＳｃｅｌｌの無線リソースの割り当てを再開する。
【０２５０】
ＲＲＣ処理部４０は、移動局３に対する無線リソースの割り当てが停止された場合、Ｓｃｅｌｌとの無線リンクの解放の通知をスケジューリング処理部３０から受ける。そして、ＲＲＣ処理部４０は、移動速度が移動速度閾値未満となった移動局３のＳｃｅｌｌとの無線リンクを解放するＲＲＣメッセージを生成する。そして、ＲＲＣ処理部４０は、Ｓ１／Ｘ２インタフェース処理部６０、下りＭＡＣ処理部１１７、送信部１１、Ｄ／Ａ変換部１３、送信ＲＦ部１５１及びアンテナ１６を介して、移動局３へ生成したＲＲＣメッセージを送信する。
【０２５１】
その後、移動局３に対する無線リソースの割り当てが再開された場合、ＲＲＣ処理部４０は、Ｓｃｅｌｌとの無線リンクの設定の通知をスケジューリング処理部３０から受ける。そして、ＲＲＣ処理部４０は、移動速度が移動速度閾値未満となった移動局３に対してＳｃｅｌｌとの無線リンクを設定するＲＲＣメッセージを生成する。そして、ＲＲＣ処理部４０は、Ｓ１／Ｘ２インタフェース処理部６０、下りＭＡＣ処理部１１７、送信部１１、Ｄ／Ａ変換部１３、送信ＲＦ部１５１及びアンテナ１６を介して、移動局３へ生成したＲＲＣメッセージを送信する。
【０２５２】
ここで、ＲＲＣ処理部４０は、Ｓｃｅｌｌとの無線リンクの設定及び解放の通知に、TS36.331で規定されているRRCConnectionReconfiguration内のsCellToReleasList及びsCellTlSddModListを用いる。
【０２５３】
無線品質測定部２２６は、スケジューリング処理部３０により移動局３とＳｃｅｌｌとの無線リンクが解放されると、ＳＲＳなどのパケット信号を受信しなくなり、無線品質測定を停止する。
【０２５４】
その後、移動局３に対する無線リソースの割り当てが再開された場合、無線品質測定部２２６は、その移動局３のＳｃｅｌｌの無線品質の測定の指示をスケジューリング処理部３０から受ける。無線品質測定部２２６は、指示を受けてその移動局３のＳｃｅｌｌの無線品質の測定を再開する。
【０２５５】
移動局３の制御部３０３は、アンテナ３０４、Ｓｃｅｌｌ通信部３０２を介して、Ｓｃｅｌｌとの無線リンクを解放するＲＲＣメッセージを受信する。そして、制御部３０３は、Ｓｃｅｌｌとの無線リンクを解放する。
【０２５６】
その後、移動局３に対する無線リソースの割り当てが再開された場合、移動局３の制御部３０３は、アンテナ３０４、Ｓｃｅｌｌ通信部３０２を介して、Ｓｃｅｌｌとの無線リンクを設定するＲＲＣメッセージを受信する。そして、制御部３０３は、Ｓｃｅｌｌとの無線リンクを再開する。
【０２５７】
次に、図１１を参照して、本実施例に係る無線基地局１によるＳｃｅｌｌの無線リソースの割当処理の流れについて説明する。図１１は、実施例３に係る無線基地局によるＳｃｅｌｌの無線リソースの割当処理のフローチャートである。
【０２５８】
移動速度測定部５０は、Ｐｃｅｌｌ通信部１０のパイロット信号復調部１２５から取得したパイロット信号を用いて移動局３の移動速度Ｖ（ｍ／ｓ）を算出する（ステップＳ３０１）。
【０２５９】
スケジューリング処理部３０は、移動速度Ｖ（ｍ／ｓ）の入力を移動速度測定部５０から受ける。そして、スケジューリング処理部３０は、移動速度Ｖが移動速度閾値Ｖｔｈ以上か否かを判定する（ステップＳ３０２）。Ｖ≧Ｖｔｈの場合（ステップＳ３０２：肯定）、スケジューリング処理部３０は、Ｓｃｅｌｌの無線リソースの割り当てが停止状態か否かを判定する（ステップＳ３０３）。
【０２６０】
Ｓｃｅｌｌの無線リソースの割り当てが停止状態の場合（ステップＳ３０３：肯定）、スケジューリング処理部３０は、ステップＳ３０７へ進む。
【０２６１】
これに対して、Ｓｃｅｌｌの無線リソースの割り当てが停止状態でない場合（ステップＳ３０３：否定）、スケジューリング処理部３０は、Ｖ≧Ｖｔｈとなった移動局３に対するＳｃｅｌｌの無線リソースの割り当てを停止する（ステップＳ３０４）。
【０２６２】
また、スケジューリング処理部３０は、Ｖ≧Ｖｔｈとなった移動局３に対するＳｃｅｌｌとの無線リンクを解放する（ステップＳ３０５）。
【０２６３】
さらに、スケジューリング処理部３０は、Ｓｃｅｌｌとの無線リンクの解放の通知をＲＲＣ処理部４０に指示する。ＲＲＣ処理部４０は、Ｓｃｅｌｌとの無線リンクを解放するＲＲＣメッセージをＶ≧Ｖｔｈとなった移動局３に送信する（ステップＳ３０６）。
【０２６４】
そして、スケジューリング処理部３０は、Ｐｃｅｌｌの利用可能な無線リソースの割り当てを行い、Ｖ≧Ｖｔｈとなった移動局３との通信を行う（ステップＳ３０７）。
【０２６５】
一方、Ｖ＜Ｖｔｈの場合（ステップＳ３０２：否定）、スケジューリング処理部３０は、Ｓｃｅｌｌの無線リソースの割り当てが停止状態か否かを判定する（ステップＳ３０８）。Ｓｃｅｌｌの無線リソースの割り当てが停止状態でない場合（ステップＳ３０８：否定）、スケジューリング処理部３０は、ステップＳ３１３へ進む。
【０２６６】
これに対して、Ｓｃｅｌｌの無線リソースの割り当てが停止状態の場合（ステップＳ３０８：肯定）、スケジューリング処理部３０は、Ｖ＜Ｖｔｈとなった移動局３に対してＳｃｅｌｌとの無線リンクを設定する（ステップＳ３０９）。
【０２６７】
また、スケジューリング処理部３０は、Ｓｃｅｌｌとの無線リンクの設定の通知をＲＲＣ処理部４０に指示する。ＲＲＣ処理部４０は、Ｓｃｅｌｌとの無線リンクを設定するＲＲＣメッセージをＶ＜Ｖｔｈとなった移動局３に送信する（ステップＳ３１０）。
【０２６８】
また、スケジューリング処理部３０は、無線品質測定の開始を無線品質測定部２２６に指示する。無線品質測定部２２６は、Ｖ＜Ｖｔｈとなった移動局３のＳｃｅｌｌの無線品質測定を開始する（ステップＳ３１１）。
【０２６９】
さらに、スケジューリング処理部３０は、Ｖ＜Ｖｔｈとなった移動局３に対するＳｃｅｌｌの無線リソースの割り当てを開始する（ステップＳ３１２）。
【０２７０】
そして、スケジューリング処理部３０は、Ｐｃｅｌｌ及びＳｃｅｌｌの利用可能な無線リソースの割り当てを行い、Ｖ＜Ｖｔｈとなった移動局３との通信を行う（ステップＳ３１３）。
【０２７１】
次に、図１２を参照して、本実施例に係る無線基地局１と移動局３との間におけるＳｃｅｌｌの無線リソースの割当処理の流れについて説明する。図１２は、実施例３に係る無線基地局と移動局との間におけるＳｃｅｌｌの無線リソースの割当処理のシーケンス図である。
【０２７２】
無線基地局１のスケジューリング処理部３０は、移動局３の移動速度と移動速度閾値とを比較して、高速移動中の移動局３を検出する（ステップＳ３２１）。
【０２７３】
そして、無線基地局１のスケジューリング処理部３０は、検出した移動局３に対するＳｃｅｌｌの無線リソースの割り当てを停止する（ステップＳ３２２）。
【０２７４】
また、無線基地局１のスケジューリング処理部３０は、検出した移動局３に設定していたＳｃｅｌｌとの無線リンクを解放する（ステップＳ３２３）。これにより、無線基地局１の無線品質測定部２２６は、検出した移動局３に対するＳｃｅｌｌの無線品質測定を停止する。
【０２７５】
さらに、無線基地局１のＲＲＳ処理部４０は、Ｓｃｅｌｌとの無線リンクの解放を指示するＳＲＳメッセージを検出した移動局３に送信する（ステップＳ３２４）。
【０２７６】
移動局３の制御部３０３は、Ｓｃｅｌｌとの無線リンクを解放するＳＲＳメッセージを受信する。そして、制御部３０３は、Ｓｃｅｌｌとの無線リンクを解放する（ステップＳ３２５）。
【０２７７】
そして、移動局３の制御部３０３は、Ｓｃｅｌｌとの無線リンクの解放指示への応答を無線基地局１へ送信する（ステップＳ３２６）。
【０２７８】
その後、無線基地局１のスケジューリング処理部３０は、移動局３の移動速度と移動速度閾値とを比較して、高速移動していた移動局３が低速移動に遷移したことを検出する（ステップＳ３２７）。
【０２７９】
また、無線基地局１のスケジューリング処理部３０は、検出した移動局３のＳｃｅｌｌとの無線リンクを設定する（ステップＳ３２８）。
【０２８０】
そして、無線基地局１のＲＲＳ処理部４０は、Ｓｃｅｌｌとの無線リンクの設定を指示するＳＲＳメッセージを検出した移動局３に送信する（ステップＳ３２９）。
【０２８１】
移動局３の制御部３０３は、Ｓｃｅｌｌとの無線リンクを設定するＲＲＳメッセージを受信する。そして、制御部３０３は、Ｓｃｅｌｌとの無線リンクを設定する（ステップＳ３３０）。
【０２８２】
そして、制御部３０３は、ＳＲＳなどのパイロット信号の送信を開始する（ステップＳ
３３１）。
【０２８３】
その後、移動局３の制御部３０３は、Ｓｃｅｌｌとの無線リンクの設定指示への応答を無線基地局１へ送信する（ステップＳ３３２）。
【０２８４】
無線基地局１の無線品質測定部２２６は、検出した移動局３のＳｃｅｌｌの無線品質測定を開始する（ステップＳ３３３）。
【０２８５】
無線基地局１のスケジューリング処理部３０は、検出した移動局３に対するＳｃｅｌｌの無線リソースの割り当てを開始する（ステップＳ３３４）。
【０２８６】
以上に説明したように、本実施例に係る無線基地局は、移動局の無線環境が悪化した場合に、移動局との間のＳｃｅｌｌの無線リンクを解放する。これにより、Ｓｃｅｌｌの無線リンクの資源を有効利用することができる。例えば、本実施例に係る無線基地局は、Ｓｃｅｌｌで使用していた移動局のＩＤ、例えばＣ−ＲＮＴＩ（Cell-Radio  Network  Temporary  Identifier）を解放できる。ここで、Ｃ−ＲＮＴＩの範囲数は、無線通信システムのシステム条件に応じて制限されることが多い。無線基地局に収容された移動局数が瞬間的に多くなった場合、無線基地局で使用できるＣ−ＲＮＴＩ数が枯渇するおそれがある。この点、本実施例に係る無線基地局は、Ｃ−ＲＮＴＩを有効利用することができる。
【実施例４】
【０２８７】
次に、実施例４について説明する。本実施例に係る無線基地局は、実施例１で説明した無線品質測定を停止するだけに留めるか、実施例２で説明したＳｃｅｌｌのＳＲＳリソースの解放までするかを選択することが実施例１と異なる。図１３は、実施例４に係る無線基地局のブロック図である。本実施例に係る無線基地局１は、実施例１の各部に加えてＳＲＳリソース数管理部５１をさらに有する。以下では、実施例１と同様の各部の機能については説明を省略する。以下では、実施例１で説明した無線品質測定の停止のみを行う動作モードを「無線品質測定停止モード」という。また、実施例２で説明したＳｃｅｌｌのＳＲＳリソースの解放を行う動作モードを「ＳＲＳリソース解放モード」という。
【０２８８】
ＳＲＳリソース数管理部５１は、Ｓｃｅｌｌ毎に動作モードの切り替えを判定するためのＳＲＳリソース数閾値を記憶している。そして、ＳＲＳリソース数管理部５１は、移動速度が移動速度閾値以上となった移動局３が利用していたＳｃｅｌｌに収容されているＳＲＳリソース数をスケジューリング処理部３０から受信する。
【０２８９】
そして、ＳＲＳリソース数管理部５１は、受信したＳＲＳリソース数がＳＲＳリソース数閾値以上の場合、ＳＲＳリソース解放モードの選択をスケジューリング処理部３０へ通知する。
【０２９０】
また、受信したＳＲＳリソース数がＳＲＳリソース数閾値未満の場合、ＳＲＳリソース数管理部５１は、無線品質測定停止モードの選択をスケジューリング処理部３０へ通知する。
【０２９１】
スケジューリング処理部３０は、Ｓｃｅｌｌの無線リソースの割り当ての停止を判定する場合、移動速度が移動速度閾値以上となった移動局３が利用していたＳｃｅｌｌに収容されているＳＲＳリソース数をＳＲＳリソース数管理部５１に通知する。その後、スケジューリング処理部３０は、選択するモードの通知をＳＲＳリソース数管理部５１から受ける。
【０２９２】
無線品質測定停止モードの選択が指示された場合、スケジューリング処理部３０は、実施例１で説明した処理を実行する。すなわち、スケジューリング処理部３０は、移動速度が移動速度閾値以上となった移動局３に対する無線リソースの割り当てを停止し、無線品質測定部２２６によるＳｃｅｌｌの無線品質の測定を停止させる。その後、移動局３の移動速度が移動速度閾値未満となった場合、スケジューリング処理部３０は、無線品質測定部２２６によるその移動局３のＳｃｅｌｌの無線品質の測定を再開させ、無線リソースの割り当てを再開する。
【０２９３】
一方、ＳＲＳリソース解放モードの選択が指示された場合、スケジューリング処理部３０は、実施例２で説明した処理を実行する。すなわち、スケジューリング処理部３０は、移動速度が移動速度閾値以上となった移動局３に対する無線リソースの割り当てを停止し、ＳｃｅｌｌのＳＲＳリソースを解放する。その後、移動局３の移動速度が移動速度閾値未満となった場合、スケジューリング処理部３０は、その移動局３にＳｃｅｌｌのＳＲＳリソースを設定し、無線リソースの割り当てを再開する。
【０２９４】
次に、図１４を参照して、本実施例に係る無線基地局１による動作モードの選択について説明する。図１４は、実施例４に係る無線基地局による動作モードの選択のフローチャートである。
【０２９５】
ＳＲＳリソース数管理部５１は、移動速度が移動速度閾値以上となった移動局３である高速移動局が使用するＳｃｅｌｌに収容されているＳＲＳリソース数をスケジューリング処理部３０から受信する。そして、ＳＲＳリソース数管理部５１は、取得したＳＲＳリソース数がＳＲＳリソース数閾値以上か否かを判定する（ステップＳ４０１）。
【０２９６】
ＳＲＳリソース数がＳＲＳリソース数閾値以上の場合（ステップＳ４０１：肯定）、ＳＲＳリソース数管理部５１は、ＳＲＳリソース解放モードの選択をスケジューリング処理部３０へ通知する。そして、スケジューリング処理部３０は、ＳＲＳリソース解放モードで動作する（ステップＳ４０２）。
【０２９７】
これに対して、ＳＲＳリソース数がＳＲＳリソース数閾値未満の場合（ステップＳ４０１：否定）、ＳＲＳリソース数管理部５１は、無線品質測定停止モードの選択をスケジューリング処理部３０へ通知する。そして、スケジューリング処理部３０は、無線品質測定停止モードで動作する（ステップＳ４０３）。
【０２９８】
以上に説明したように、本実施例に係る無線基地局は、高速移動局が利用していたＳｃｅｌｌに収容されているＳＲＳリソース数に応じてＳＲＳリソース解放モード又は無線品質測定停止モードのいずれかを動作モードとして選択する。これにより、ＳＲＳリソース数が枯渇しそうな場合には、ＳＲＳリソースを有効利用することができ、また、ＳＲＳリソースに余裕がある場合には、Ｓｃｅｌｌの無線リソースの割り当ての停止及び再開を迅速に実行することができる。
【実施例５】
【０２９９】
次に、実施例５について説明する。本実施例に係る無線基地局は、実施例１で説明した無線品質測定を停止するだけに留めるか、実施例３で説明したＳｃｅｌｌの無線リンクの解放まで行うかを選択することが実施例１と異なる。図１５は、実施例５に係る無線基地局のブロック図である。本実施例に係る無線基地局１は、実施例１の各部に加えて接続移動局数管理部５２をさらに有する。以下では、実施例１と同様の各部の機能については説明を省略する。以下では、実施例３で説明したＳｃｅｌｌの無線リンクの解放を行う動作モードを「無線リンク解放モード」という。
【０３００】
接続移動局数管理部５２は、Ｓｃｅｌｌ毎に動作モードの切り替えを判定するための移動局数閾値を記憶している。そして、接続移動局数管理部５２は、移動速度が移動速度閾値以上となった移動局３が利用していたＳｃｅｌｌに接続する移動局数をスケジューリング処理部３０から受信する。
【０３０１】
そして、接続移動局数管理部５２は、受信した移動局数が接続移動局数閾値以上の場合、無線リンク解放モードの選択をスケジューリング処理部３０へ通知する。
【０３０２】
また、受信した移動局数が接続移動局数閾値未満の場合、接続移動局数管理部５２は、無線品質測定停止モードの選択をスケジューリング処理部３０へ通知する。
【０３０３】
スケジューリング処理部３０は、Ｓｃｅｌｌの無線リソースの割り当ての停止を判定する場合、移動速度が移動速度閾値以上となった移動局３が利用していたＳｃｅｌｌに接続されている接続移動局数を接続移動局数管理部５２に通知する。その後、スケジューリング処理部３０は、選択するモードの通知を接続移動局数管理部５２から受ける。
【０３０４】
無線品質測定停止モードの選択が指示された場合、スケジューリング処理部３０は、実施例１で説明した処理を実行する。すなわち、スケジューリング処理部３０は、移動速度が移動速度閾値以上となった移動局３に対する無線リソースの割り当てを停止し、無線品質測定部２２６によるＳｃｅｌｌの無線品質の測定を停止させる。その後、移動局３の移動速度が移動速度閾値未満となった場合、スケジューリング処理部３０は、無線品質測定部２２６によるその移動局３のＳｃｅｌｌの無線品質の測定を再開させ、無線リソースの割り当てを再開する。
【０３０５】
一方、無線リンク解放モードの選択が指示された場合、スケジューリング処理部３０は、実施例３で説明した処理を実行する。すなわち、スケジューリング処理部３０は、移動速度が移動速度閾値以上となった移動局３に対する無線リソースの割り当てを停止し、Ｓｃｅｌｌの無線リンクを解放する。その後、移動局３の移動速度が移動速度閾値未満となった場合、スケジューリング処理部３０は、その移動局３にＳｃｅｌｌの無線リンクを設定し、無線リソースの割り当てを再開する。
【０３０６】
次に、図１６を参照して、本実施例に係る無線基地局１による動作モードの選択について説明する。図１６は、実施例５に係る無線基地局による動作モードの選択のフローチャートである。
【０３０７】
接続移動局数管理部５２は、移動速度が移動速度閾値以上となった移動局３である高速移動局が使用するＳｃｅｌｌに接続する移動局数をスケジューリング処理部３０から受信する。そして、ＳＲＳリソース数管理部５１は、取得した移動局数が接続移動局数閾値以上か否かを判定する（ステップＳ４１１）。
【０３０８】
移動局数が接続移動局数閾値以上の場合（ステップＳ４１１：肯定）、接続移動局数管理部５２は、無線リンク解放モードの選択をスケジューリング処理部３０へ通知する。そして、スケジューリング処理部３０は、無線リンク解放モードで動作する（ステップＳ４１２）。
【０３０９】
これに対して、移動局数が接続移動局数閾値未満の場合（ステップＳ４１１：否定）、接続移動局数管理部５２は、無線品質測定停止モードの選択をスケジューリング処理部３０へ通知する。そして、スケジューリング処理部３０は、無線品質測定停止モードで動作する（ステップＳ４１３）。
【０３１０】
以上に説明したように、本実施例に係る無線基地局は、高速移動局が利用していたＳｃｅｌｌに接続する移動局数に応じて無線リンク解放モード又は無線品質測定停止モードのいずれかを動作モードとして選択する。これにより、例えばＣ−ＲＮＴＩ数が枯渇しそうな場合には、Ｃ−ＲＮＴＩを増やすことができ、また、ＳＲＳリソースに余裕がある場合には、Ｓｃｅｌｌの無線リソースの割り当ての停止及び再開を迅速に実行することができる。
【実施例６】
【０３１１】
次に、実施例６について説明する。本実施例に係る無線基地局は、無線品質測定停止モード、ＳＲＳリソース解放モード又は無線リンク解放モードのいずれかを動作モードとして選択することが実施例１と異なる。図１７は、実施例６に係る無線基地局のブロック図である。本実施例に係る無線基地局１は、実施例１の各部に加えて、ＳＲＳリソース数管理部５１及び接続移動局数管理部５２をさらに有する。以下では、実施例１と同様の各部の機能については説明を省略する。
【０３１２】
接続移動局数管理部５２は、実施例３と同様に、Ｓｃｅｌｌ毎に動作モードの切り替えを判定するための移動局数閾値を記憶している。そして、接続移動局数管理部５２は、移動速度が移動速度閾値以上となった移動局３が利用していたＳｃｅｌｌに接続する移動局数をスケジューリング処理部３０から受信する。
【０３１３】
そして、接続移動局数管理部５２は、受信した移動局数が接続移動局数閾値以上の場合、無線リンク解放モードの選択をスケジューリング処理部３０へ通知する。
【０３１４】
また、受信した移動局数が接続移動局数閾値未満の場合、接続移動局数管理部５２は、無線リンク解放モードを選択しない旨をスケジューリング処理部３０へ通知する。
【０３１５】
ＳＲＳリソース数管理部５１は、実施例２と同様に、Ｓｃｅｌｌ毎に動作モードの切り替えを判定するためのＳＲＳリソース数閾値を記憶している。そして、ＳＲＳリソース数管理部５１は、移動速度が移動速度閾値以上となった移動局３が利用していたＳｃｅｌｌに収容されているＳＲＳリソース数をスケジューリング処理部３０から受信する。
【０３１６】
そして、ＳＲＳリソース数管理部５１は、受信したＳＲＳリソース数がＳＲＳリソース数閾値以上の場合、ＳＲＳリソース解放モードの選択をスケジューリング処理部３０へ通知する。
【０３１７】
また、受信したＳＲＳリソース数がＳＲＳリソース数閾値未満の場合、ＳＲＳリソース数管理部５１は、無線品質測定停止モードの選択をスケジューリング処理部３０へ通知する。
【０３１８】
スケジューリング処理部３０は、Ｓｃｅｌｌの無線リソースの割り当ての停止を判定する場合、移動速度が移動速度閾値以上となった移動局３が利用していたＳｃｅｌｌに接続されている接続移動局数を接続移動局数管理部５２に通知する。その後、スケジューリング処理部３０は、選択するモードの通知を接続移動局数管理部５２から受ける。
【０３１９】
接続移動局数管理部５２により無線リンク解放モードの選択が指示された場合、スケジューリング処理部３０は、実施例３で説明した処理を実行する。すなわち、スケジューリング処理部３０は、移動速度が移動速度閾値以上となった移動局３に対する無線リソースの割り当てを停止し、Ｓｃｅｌｌの無線リンクを解放する。その後、移動局３の移動速度が移動速度閾値未満となった場合、スケジューリング処理部３０は、その移動局３にＳｃｅｌｌの無線リンクを設定し、無線リソースの割り当てを再開する。
【０３２０】
これに対して、接続移動局数管理部５２により無線品質測定停止モードを選択しない旨が通知された場合、スケジューリング処理部３０は、移動局３が利用していたＳｃｅｌｌに収容されているＳＲＳリソース数をＳＲＳリソース数管理部５１に通知する。その後、スケジューリング処理部３０は、選択するモードの通知をＳＲＳリソース数管理部５１から受ける。
【０３２１】
ＳＲＳリソース数管理部５１によりＳＲＳリソース解放モードの選択が指示された場合、スケジューリング処理部３０は、実施例２で説明した処理を実行する。すなわち、スケジューリング処理部３０は、移動速度が移動速度閾値以上となった移動局３に対する無線リソースの割り当てを停止し、ＳｃｅｌｌのＳＲＳリソースを解放する。その後、移動局３の移動速度が移動速度閾値未満となった場合、スケジューリング処理部３０は、その移動局３にＳｃｅｌｌのＳＲＳリソースを設定し、無線リソースの割り当てを再開する。
【０３２２】
これに対して、ＳＲＳリソース数管理部５１により無線品質測定停止モードの選択が指示された場合、スケジューリング処理部３０は、実施例１で説明した処理を実行する。すなわち、スケジューリング処理部３０は、移動速度が移動速度閾値以上となった移動局３に対する無線リソースの割り当てを停止し、無線品質測定部２２６によるＳｃｅｌｌの無線品質の測定を停止させる。その後、移動局３の移動速度が移動速度閾値未満となった場合、スケジューリング処理部３０は、無線品質測定部２２６によるその移動局３のＳｃｅｌｌの無線品質の測定を再開させ、無線リソースの割り当てを再開する。
【０３２３】
次に、図１８を参照して、本実施例に係る無線基地局１による動作モードの選択について説明する。図１８は、実施例６に係る無線基地局による動作モードの選択のフローチャートである。
【０３２４】
接続移動局数管理部５２は、移動速度が移動速度閾値以上となった移動局３である高速移動局が使用するＳｃｅｌｌに接続する移動局数をスケジューリング処理部３０から受信する。そして、接続移動局数管理部５２は、取得した移動局数が接続移動局数閾値以上か否かを判定する（ステップＳ４２１）。
【０３２５】
移動局数が接続移動局数閾値以上の場合（ステップＳ４２１：肯定）、接続移動局数管理部５２は、無線リンク解放モードの選択をスケジューリング処理部３０へ通知する。そして、スケジューリング処理部３０は、無線リンク解放モードで動作する（ステップＳ４２２）。
【０３２６】
これに対して、移動局数が接続移動局数閾値未満の場合（ステップＳ４２１：否定）、ＳＲＳリソース数管理部５１は、移動速度が移動速度閾値以上となった移動局３である高速移動局が利用していたＳｃｅｌｌに収容されているＳＲＳリソース数をスケジューリング処理部３０から受信する。そして、ＳＲＳリソース数管理部５１は、取得したＳＲＳリソース数がＳＲＳリソース数閾値以上か否かを判定する（ステップＳ４２３）。
【０３２７】
ＳＲＳリソース数がＳＲＳリソース数閾値以上の場合（ステップＳ４２３：肯定）、ＳＲＳリソース数管理部５１は、ＳＲＳリソース解放モードの選択をスケジューリング処理部３０へ通知する。そして、スケジューリング処理部３０は、ＳＲＳリソース解放モードで動作する（ステップＳ４２４）。
【０３２８】
これに対して、ＳＲＳリソース数がＳＲＳリソース数閾値未満の場合（ステップＳ４２３：否定）、ＳＲＳリソース数管理部５１は、無線品質測定停止モードの選択をスケジューリング処理部３０へ通知する。そして、スケジューリング処理部３０は、無線品質測定停止モードで動作する（ステップＳ４２５）。
【０３２９】
以上に説明したように、本実施例に係る無線基地局は、無線品質測定停止モード、ＳＲＳリソース解放モード又は無線リンク解放モードのいずれかを動作モードとして選択する。これにより、例えばＣ−ＲＮＴＩ数が枯渇しそうな場合には、Ｃ−ＲＮＴＩを増やすことができる。また、ＳＲＳリソース数が枯渇しそうな場合には、ＳＲＳリソースを有効利用することができる。また、ＳＲＳリソースに余裕がある場合には、Ｓｃｅｌｌの無線リソースの割り当ての停止及び再開を迅速に実行することができる。
【符号の説明】
【０３３０】
１  無線基地局
２  コアネットワーク
３  移動局
４  Ｓ１インタフェース
５  Ｘ２インタフェース
６  Ｐｃｅｌｌ
７  Ｓｃｅｌｌ
１０  Ｐｃｅｌｌ通信部
１１，２１  送信部
１２，２２  受信部
１３，２３  Ｄ／Ａ変換部
１４，２４  Ａ／Ｄ変換部
１５，２５  ＲＦ処理回路
１６，２６  アンテナ
３０  スケジューリング処理部
４０  ＲＲＣ処理部
５０  移動速度測定部
５１  ＳＲＳリソース数管理部
５２  接続移動局数管理部
６０  Ｓ１／Ｘ２インタフェース
１１１，２１１  パイロット信号生成部
１１２，２１２  誤り訂正符号器
１１３，２１３  データ変調部
１１４，２１４  データ／パイロット信号多重部
１１５，２１５  ＩＦＦＴ部
１１６，２１６  ＣＰ挿入部
１１７，２１７  下りＭＡＣ処理部
１２１，２２１  ＣＰ除去部
１２２，２２２  ＦＦＴ部
１２３，２２３  データ／パイロット信号分離部
１２４，２２４  ＰＵＳＣＨ／ＰＵＣＣＨ受信処理部
１２５，２２５  パイロット信号復調部
１２６，２２６  無線品質測定部
１２７，２２７  誤り訂正復号器
１２８，２２８  データ復調部
１２９，２２９  上りＭＡＣ処理部
１５１，２５１  送信ＲＦ部
１５２，２５２  受信ＲＦ部
３０１  Ｐｃｅｌｌ通信部
３０２  Ｓｃｅｌｌ通信部
３０３  制御部
３０４  アンテナ
３１１，３２１  送信部
３１２，３２２  Ｄ／Ａ変換部
３１３，３２３  送信ＲＦ部
３１４，３２４  受信ＲＦ部
３１５，３２５  Ａ／Ｄ変換部
３１６，３２６  受信部
【図１】
2016076748.tif 000005
【図２】
2016076748.tif 000006
【図３】
2016076748.tif 000007
【図４】
2016076748.tif 000008
【図５】
2016076748.tif 000009
【図６】
2016076748.tif 000010
【図７】
2016076748.tif 000011
【図８】
2016076748.tif 000012
【図９】
2016076748.tif 000013
【図１０】
2016076748.tif 000014
【図１１】
2016076748.tif 000015
【図１２】
2016076748.tif 000016
【図１３】
2016076748.tif 000017
【図１４】
2016076748.tif 000018
【図１５】
2016076748.tif 000019
【図１６】
2016076748.tif 000020
【図１７】
2016076748.tif 000021
【図１８】
2016076748.tif 000022